(57)【要約】      （修正有）【課題】回転部を把持して、回転不可能状態と、回転可能状態とを簡易に切替えることができる清掃具を提供すること。【解決手段】スライド部１０１が、深さ方向ＤＤにスライド可能であり、スライド部１０１を初期深さ位置Ｄ0から切替え深さ位置までスライドさせることにより、回転部７が、回転不可能状態と、回転可能状態とが切替わるように構成されており、２以上の第１連結部１０７が、深さ方向ＤＤにおいて、最も浅い深さ位置に配置された、頂部側把持部１４１を備える頂部側第１連結部１１１と、最も深い深さ位置に配置された、底部側把持部１４３を備える底部側第１連結部１１３とを含み、底部側把持部１４３が、深さ方向ＤＤにおいて、切替え深さ位置に配置されたスライド部１０１の底部１０５と同一の深さ位置又はそれよりも深い深さ位置に配置される。【選択図】図４
2018108137.tif 000002
【特許請求の範囲】
【請求項１】
第１アーム部と、第２アーム部と、第１アーム部及び第２アーム部を連結し且つアーム角度を調整可能である回転部であって、回転軸線及び回転方向を有するものと、第２アーム部に連結された清掃体取付部とを備える清掃具であって、
前記回転部が、スライド部と、第１アーム部及び第２アーム部の一方と連結している、２以上の第１連結部であって、そのそれぞれが第１軸孔を備えるものと、それらの他方と連結している第２連結部であって、第２軸孔を備えるものとを備え、
前記スライド部が、前記回転軸線の方向において、頂部と、底部と、前記頂部及び底部を連結する連結軸であって、第１軸孔及び第２軸孔を貫通しているものとを備えており、
前記スライド部が、前記回転軸線の方向のうち前記頂部から前記底部に向かう深さ方向に、初期深さ位置から少なくとも切替え深さ位置までスライド可能であり、前記スライド部を前記切替え深さ位置までスライドさせることにより、前記回転部が、前記アーム角度が調整不可能である回転不可能状態と、前記アーム角度が調整可能である回転可能状態とが切替わるように構成されており、
２以上の第１連結部が、２以上の第１連結部及び第２連結部の中で、前記深さ方向において、最も浅い深さ位置に配置された頂部側第１連結部であって、頂部側把持部を備えるものと、最も深い深さ位置に配置された底部側第１連結部であって、底部側把持部を備えるものとを含み、
前記底部側把持部が、前記深さ方向において、前記切替え深さ位置に配置された前記スライド部の前記底部と同一の深さ位置又はそれよりも深い深さ位置に配置されるように構成されている、
ことを特徴とする、前記清掃具。
【請求項２】
前記スライド部が、前記アーム角度を調整する際に、前記頂部側第１連結部及び底部側第１連結部とともに回転するように構成されている、請求項１に記載の清掃具。
【請求項３】
前記頂部側第１連結部及び底部側第１連結部が、第２アーム部に連結されており、第２連結部が、第１アーム部に連結されている、請求項１又は２に記載の清掃具。
【請求項４】
前記回転部が、前記深さ方向において、前記底部より深さの深い領域に、前記スライド部とともにスライドしない部材を備えていない、請求項１〜３のいずれか一項に記載の清掃具。
【請求項５】
前記底部側把持部の、前記回転軸線と直交する方向における内径が、任意の方向において、２０ｍｍ以下である、請求項１〜４のいずれか一項に記載の清掃具。
【請求項６】
前記頂部が、前記頂部の周縁に配置された周縁部と、前記周縁部に囲まれ且つ前記周縁部から、前記底部と反対側に突出している突出部とを備え、前記頂部側把持部が、前記深さ方向において、前記初期深さ位置における前記スライド部の前記突出部よりも深い深さ位置に配置されるように構成されている、請求項１〜５のいずれか一項に記載の清掃具。
【請求項７】
前記頂部側把持部が、前記深さ方向において、前記初期深さ位置における前記スライド部の前記周縁部と同一の深さ位置又はそれよりも浅い深さ位置に配置されるように構成されている、請求項６に記載の清掃具。
【請求項８】
第２アーム部が、中空部を有する第２アーム部第１筒体と、前記中空部内に挿入された第２アーム部第２筒体とを少なくとも備え、第２アーム部が、第２アーム部第１筒体及び第２アーム部第２筒体を相対的に移動させることにより、第２アーム部の軸線方向に伸縮可能であり、第２アーム部第１筒体が、前記清掃体取付部に連結されている、請求項１〜７のいずれか一項に記載の清掃具。
【請求項９】
第１アーム部が、第１筒体中空部及び内面を備えており且つ把持部を構成する第１アーム部第１筒体と、第１筒体中空部内に挿入された第１アーム部第２筒体とを少なくとも備え、第１アーム部が、第１アーム部第１筒体及び第１アーム部第２筒体を相対的に移動させることにより、第１アーム部の軸線方向に伸縮可能であり、第１アーム部第１筒体が、第１アーム部第２筒体よりも前記回転部から遠い位置に配置されている、請求項１〜８のいずれか一項に記載の清掃具。
【請求項１０】
第１アーム部第２筒体が、前記清掃具の基端よりの第２基端部と、前記清掃具の先端よりの第２先端部とを有し、第１アーム部第２筒体が、第２基端部において、第１アーム部第２筒体と連結しており且つ第１アーム部第２筒体と別体である摺動部材を備え、前記摺動部材が、第１アーム部第１筒体の内面に沿う筒状部であって、筒状部軸線と周方向とを有するものを備え、前記筒状部が、第１アーム部第１筒体の前記内面と摺動するように構成されている、請求項９に記載の清掃具。
【請求項１１】
第１アーム部第１筒体が、第１先端部の前記内面に、内方に突出する先端側係止部及び基端側係止部と、前記先端側係止部及び基端側係止部の間に配置された係合面を備えており、第１アーム部が、前記筒状部と、第１アーム部第１筒体の前記係合面とを係合させることにより、第１アーム部の伸長形態を保持することができるように構成されている、請求項１０に記載の清掃具。
【請求項１２】
第１アーム部第１筒体が、前記基端よりの第１基端部と、前記先端よりの第１先端部とを有し、第１アーム部第１筒体が、第１基端部に、第１アーム部第１筒体とは別体のロック部材であって、第１ロック部を有するものを備え、前記筒状部が、第２ロック部を備え、第１ロック部及び第２ロック部が、それらの距離を近づけることにより係合を生じ、そして前記距離を遠ざけることにより前記係合を解除するように構成されている、請求項１０又は１１に記載の清掃具。
【発明の詳細な説明】
【技術分野】
【０００１】
本開示は、清掃具に関する。
【背景技術】
【０００２】
使い捨ての清掃体を清掃体取付部に取付け、ホコリ等の拭き清掃を行う清掃具が市販されている。例えば、特許文献１には、壁や天井のような平面部分であっても、家具の表面や上面あるいは置物の表面のような細かい部分であっても、柄を必要な角度に調節固定して片手で手軽に払掃清掃することができ、しかも、角度調節作業を非常に簡単に行うことができる小形で操作性に優れた角度調節式清掃具が記載されている。
【０００３】
特許文献１に記載の角度調節式清掃具は、以下の構成を有する。
握持した状態で両端が掌から若干突出する程度の長さを有する短柱状の把手部材と、該把手部材の先端に連結機構を介して角度調節自在に連結された払掃材用取付部材と、該取付部材の先端に着脱自在に取り付けられた払掃材とを含み、上記取付部材が、基端部側に位置する短尺の第１部分と、該第１部分の先端に折れ曲がった状態に連なる長尺の第２部分と、該第２部分に形成された払掃材取付部とからなり、上記連結機構が、取付部材を回動可能な状態と特定の角度に固定された状態とに切換操作するための操作子を有していて、該操作子が、把手部材を片手で握持した状態で親指で操作可能な位置に設けられている、ことを特徴とする角度調節式清掃具。
【０００４】
また、特許文献１の請求項２には、請求項１に記載の清掃具において、上記連結機構が、把手部材の先端部と取付部材の基端部とにそれぞれ形成されて把手部材の軸線と直交する軸線の回りに相対的に回動自在なるように接合された連結部と、これらの連結部の中心に形成された軸孔と、該軸孔内に軸線方向には移動自在で把手部材に対する回転は規制された状態に挿入された上記操作子としての連結軸と、上記取付部材における連結部の軸孔の孔縁に円周方向に等角度間隔で形成された複数の係止用凹部と、上記連結軸の外周に形成されて該連結軸の軸線方向の移動により上記凹部に係脱する突条と、該連結軸を突条が上記凹部に係止する方向に常時付勢するばねと、上記連結軸の端部に形成された押し込み操作用の操作頭部とを有していて、該操作頭部が親指で押圧操作可能な位置に配設されていることを特徴とするものが記載されている。
【先行技術文献】
【特許文献】
【０００５】
【特許文献１】特開２００１−７８９４２号公報
【発明の概要】
【発明が解決しようとする課題】
【０００６】
特許文献１に記載の角度調節式清掃具は、連結機構の構成部材の点数が少なく、製造等の観点から優れるものである。
しかし、特許文献１に記載の角度調節式清掃具は、連結軸１３の位置を、取付部材５の回転用連結部１１と、把手部材４の第１支持用連結部１０ａ及び第２支持用連結部１０ｂとの位置から、連結軸１３の軸線方向にスライドさせることにより、取付部材５を回動可能な状態と特定の角度に固定された状態とに切換操作する機構を有する。従って、操作頭部３１を押し込むと、係止頭部２６が、把手部材４の第１支持用連結部１０ａから飛び出すことになる。
【０００７】
その結果、使用者は、角度調節式清掃具の角度を調整するためには、例えば、特許文献１の図１に示されるように、左手の人差し指の側面で、係止頭部２６に触れないように把手部材４を把持しつつ、左手の親指を立てた状態で、親指の指先で操作頭部３１を押し込む必要があり、手に負担がかかるものであった。また、左手の親指と、人差し指の側面とで角度調節式清掃具の押さえる場所が異なるため、把手部材４の強度等によっては、把手部材４が折れる恐れがあった。
【０００８】
従って、本開示は、構成部材の点数が少ない回転部であって、回転部を把持して、回転不可能状態と、回転可能状態とを簡易に切替えることができるものを備え、回転部を把持して、回転不可能状態と、回転可能状態とを簡易に切替えることができる清掃具を提供することを目的とする。
【課題を解決するための手段】
【０００９】
本開示者らは、第１アーム部と、第２アーム部と、第１アーム部及び第２アーム部を連結し且つアーム角度を調整可能である回転部であって、回転軸線及び回転方向を有するものと、第２アーム部に連結された清掃体取付部とを備える清掃具であって、上記回転部が、スライド部と、第１アーム部及び第２アーム部の一方と連結している、２以上の第１連結部であって、そのそれぞれが第１軸孔を備えるものと、それらの他方と連結している第２連結部であって、第２軸孔を備えるものとを備え、上記スライド部が、上記回転軸線の方向において、頂部と、底部と、上記頂部及び底部を連結する連結軸であって、第１軸孔及び第２軸孔を貫通しているものとを備えており、上記スライド部が、上記回転軸線の方向のうち上記頂部から上記底部に向かう深さ方向に、初期深さ位置から少なくとも切替え深さ位置までスライド可能であり、上記スライド部を上記切替え深さ位置までスライドさせることにより、上記回転部が、上記アーム角度が調整不可能である回転不可能状態と、上記アーム角度が調整可能である回転可能状態とが切替わるように構成されており、２以上の第１連結部が、２以上の第１連結部及び第２連結部の中で、上記深さ方向において、最も浅い深さ位置に配置された頂部側第１連結部であって、頂部側把持部を備えるものと、最も深い深さ位置に配置された底部側第１連結部であって、底部側把持部を備えるものとを含み、上記底部側把持部が、上記深さ方向において、上記切替え深さ位置に配置された上記スライド部の上記底部と同一の深さ位置又はそれよりも深い深さ位置に配置されるように構成されていることを特徴とする清掃具を見出した。
【発明の効果】
【００１０】
本開示の清掃具は、構成部材の点数が少ない回転部であって、回転部を把持して、回転不可能状態と、回転可能状態とを簡易に切替えることができるものを備え、回転部を把持して、回転不可能状態と、回転可能状態とを簡易に切替えることができる。
【図面の簡単な説明】
【００１１】
【図１】図１は、清掃体５１が取付けられた、第１実施形態に従う清掃具１の、清掃形態における斜視図である。
【図２】図２は、収納形態における清掃具１の左側面図である。
【図３】図３は、収納形態（収縮形態）から第２アーム部９を回転させた状態における、清掃具１を説明するための図である。
【図４】図４は、スライド部１０１が初期深さ位置：Ｄ0に配置された回転部７の、図３（ｂ）のＩＶ−ＩＶ断面における断面図である。
【図５】図５は、スライド部１０１が切替え深さ位置：ＤCまでスライドした回転部７の、図３（ｂ）のＩＶ−ＩＶ断面に相当する断面図である。
【図６】図６は、スライド部１０１を構成する頂部側パーツ１２１を説明するための図である。
【図７】図７は、スライド部１０１を構成する底部側パーツ１２７を説明するための図である。
【図８】図８は、第１連結部１０７を説明するための図である。
【図９】図９は、第２連結部１１５を説明するための図である。
【図１０】図１０は、収縮形態における第１アーム部５を説明するための図である。
【図１１】図１１は、伸長形態における第１アーム部５を説明するための図である。
【図１２】図１２は、ロック部材２２５を説明するための図である。
【図１３】図１３は、第１摺動部材２２７を説明するための図である。
【図１４】図１４は、第１摺動部材２２７を説明するための図である。
【図１５】図１５は、第２摺動部材２２９を説明するための図である。
【図１６】図１６は、第３摺動部材２３１を説明するための図である。
【図１７】図１７は、第２アーム部９の左側面の断面図である。
【図１８】図１８は、第２アーム部第１筒体６０１及び第２アーム部第２筒体６０５の拡大図である。
【図１９】図１９は、清掃具１の、収納形態から清掃形態への変形を説明するための図である。
【図２０】図２０は、清掃具１の、収納形態から清掃形態への変形を説明するための図である。
【図２１】図２１は、清掃具１の、収納形態から清掃形態への変形を説明するための図である。
【図２２】図２２は、清掃具１の、収納形態から清掃形態への変形を説明するための図である。
【図２３】図２３は、清掃具１の、収納形態から清掃形態への変形を説明するための図である。
【図２４】図２４は、清掃具１を用いた清掃例を示す図である。
【発明を実施するための形態】
【００１２】
［定義］
・「収縮形態」及び「伸長形態」
本明細書では、清掃具を構成する構成部材（例えば、第１アーム部及び第２アーム部）に関する「収縮形態」及び「伸長形態」は、伸縮可能な部材に対して用いられる用語である。
具体的には、「収縮形態」は、伸縮可能な部材を最収縮させた状態を意味し、「伸長形態」は、伸縮可能な部材を最伸長させた状態を意味する。
また、収縮形態は、後述の清掃具の収納形態に関連し、伸長形態は、後述の清掃具の清掃形態に関連する。
【００１３】
・清掃具に関する「収納形態」及び「清掃形態」
本明細書では、清掃具に関する「収納形態」は、清掃具を保管する際に採用される形態を意味する。一般的には、収納形態における清掃具は、清掃具の伸長しうる部分を全て収縮させ（収納形態にし）、アーム角度を最小にした状態にある。
本明細書では、清掃具に関する「清掃形態」は、清掃具を使用する際に採用される形態を意味する。一般的には、清掃形態における清掃具は、アーム角度を、清掃すべき箇所に応じて変え、清掃具の伸長しうる部分を、清掃すべき箇所に応じて伸長させた状態（伸縮可能な部材においては、伸長形態を含む）にある。なお、使用者と近い部分を清掃する場合には、清掃具の伸長しうる部分を伸長させずに使用する場合もある。
【００１４】
・清掃具（回転部）に関する「アーム角度」
本明細書では、清掃具（回転部）に関する「アーム角度」は、第１アーム部の第１アーム部軸線と、第２アーム部の第２アーム部軸線との間の角度を意味する。なお、上記アーム角度では、第１実施形態に示される回転部連結体６１３のような、収納形態において、第１アーム部と、第２アーム部とを平行にするための部材は考慮に入れない。
図１には、アーム角度θが示されている。アーム角度θは、第１アーム部５の第１アーム部軸線ＡＬ1と、第２アーム部９の第２アーム部軸線ＡＬ2との間の角度である。
【００１５】
・清掃具に関する「正面」、「側面」及び「背面」
本明細書では、清掃具に関し、使用者が清掃具を把持した状態において、使用者側を向く面を正面と称し、使用者側を向く面と反対側の面を背面と称する。側面は、正面及び背面の間の２面を意味する。
図１には、互いに直交するＸ軸、Ｙ軸及びＺ軸が示されており、Ｘ軸の向かって右側が清掃具の正面であり、Ｘ軸の向かって左側が清掃具の背面であり、Ｙ軸の向かって奥側が、清掃具の右側面であり、Ｙ軸の向かって手前側が、清掃具の左側面である。なお、Ｚ軸は、第１アーム部軸線に相当する。
また、清掃具に関する上述の「正面」、「側面」及び「背面」の定義は、第１アーム部５の第１アーム部軸線ＡＬ1と、第２アーム部９の第２アーム部軸線ＡＬ2とが、平行となるように回転部７を回転させた状態（アーム角度θ＝１８０度の状態）で適用される。
なお、回転部を構成する構成部材に関する「正面」、「側面」及び「背面」は、明細書中で別途説明する。
【００１６】
・「基端」及び「先端」
本明細書では、「基端」及び「先端」は、それぞれ、清掃具の、第１アーム部側の端縁及び清掃体取付部側の端縁を意味する。
・「内方」及び「外方」
本明細書では、「内方」及び「外方」は、それぞれ、軸線を有する対象物において、軸線に近づく方向及び軸線から遠ざかる方向を意味する。
【００１７】
・「外面断面形状」及び「内面断面形状」
本明細書では、「外面断面形状」は、軸線及び外形を有する対象物において用いられる用語であり、「外面断面形状」は、軸線と直交する平面と、対象物の外形とが交差する部分の形状を意味する。なお、上記外面断面形状は、対象物が空隙である場合、例えば、中空部等にも用いられる。
本明細書では、「内面断面形状」は、軸線及び内形（空隙）を有する対象物において用いられる用語であり、「内面断面形状」は、軸線と直交する平面と、対象物の内形とが交差する部分の形状を意味する。
【００１８】
・回転部の構成部材に関する「深さ方向」及び「深さ位置」について
本明細書では、回転部の構成部材に関し、回転部の回転軸線の方向のうち、スライド部の頂部から底部に向かう方向を、「深さ方向」と称する。また、回転部の構成部材に関して、一方が頂部側に存在し、他方が底部側に存在する場合に、一方が他方よりも浅い深さ位置に配置されていると称し、そして他方が一方よりも深い深さ位置に配置されていると称する。
【００１９】
・スライド部の「初期深さ位置」、「切替え深さ位置」及び「最大深さ位置」、並びに回転部に関する「回転不可能状態」及び「回転可能状態について」
本明細書では、スライド部が深さ方向にスライドされていない状態にある場合における、頂部の最も浅い深さ位置を、スライド部の「初期深さ位置」と称し、スライド部が深さ方向に最大限スライドした状態にある場合における、頂部の最も浅い深さ位置を、スライド部の「最大深さ位置」と称する。また、回転部が、回転不可能状態から回転可能状態に切り替わる際の頂部の最も浅い深さ位置を、スライド部の「切替え深さ位置」と称する。切替え深さ位置と、最大深さ位置とは、同一の深さ位置であってもよい。
スライド部の初期深さ位置：Ｄ0（＝０）、切替え深さ位置：ＤC、及び最大深さ位置：ＤMAXとの間には、以下の関係がある。
Ｄ0＜ＤC≦ＤMAX
また、回転部は、スライド部の深さ位置：Ｄxが、Ｄ0≦ＤX＜ＤCの関係を満たす場合に、回転部が回転不可能状態にあり、そしてＤC≦ＤX≦ＤMAXにある場合に、回転部が回転可能状態にある。
【００２０】
・「摺動機能」、「収縮時ロック機能」及び「伸長時ロック機能」
本明細書では、隣接する筒体、例えば、第１筒体及び第２筒体を摺動させる機能を「摺動機能」と称する。また、隣接する筒体、例えば、第１筒体及び第２筒体を収縮形態でロックする機能を、「収縮時ロック機能」と称し、そして隣接する筒体、例えば、第１筒体及び第２筒体を伸長形態でロックする機能を、「伸長時ロック機能」と称する。
なお、「摺動機能」、「収縮時ロック機能」及び「伸長時ロック機能」を発揮させる機構を、それぞれ、「摺動機構」、「収縮時ロック機構」及び「伸長時ロック機構」と称する。
【００２１】
本開示は、以下の態様に関する。
［態様１］
第１アーム部と、第２アーム部と、第１アーム部及び第２アーム部を連結し且つアーム角度を調整可能である回転部であって、回転軸線及び回転方向を有するものと、第２アーム部に連結された清掃体取付部とを備える清掃具であって、
上記回転部が、スライド部と、第１アーム部及び第２アーム部の一方と連結している、２以上の第１連結部であって、そのそれぞれが第１軸孔を備えるものと、それらの他方と連結している第２連結部であって、第２軸孔を備えるものとを備え、
上記スライド部が、上記回転軸線の方向において、頂部と、底部と、上記頂部及び底部を連結する連結軸であって、第１軸孔及び第２軸孔を貫通しているものとを備えており、
上記スライド部が、上記回転軸線の方向のうち上記頂部から上記底部に向かう深さ方向に、初期深さ位置から少なくとも切替え深さ位置までスライド可能であり、上記スライド部を上記切替え深さ位置までスライドさせることにより、上記回転部が、上記アーム角度が調整不可能である回転不可能状態と、上記アーム角度が調整可能である回転可能状態とが切替わるように構成されており、
２以上の第１連結部が、２以上の第１連結部及び第２連結部の中で、上記深さ方向において、最も浅い深さ位置に配置された頂部側第１連結部であって、頂部側把持部を備えるものと、最も深い深さ位置に配置された底部側第１連結部であって、底部側把持部を備えるものとを含み、
上記底部側把持部が、上記深さ方向において、上記切替え深さ位置に配置された上記スライド部の上記底部と同一の深さ位置又はそれよりも深い深さ位置に配置されるように構成されている、
ことを特徴とする、上記清掃具。
【００２２】
上記清掃具では、回転部の構成部材の点数が少なく、回転部が簡易な構造を有する。
また、上記清掃具では、底部側第１連結部の底部側把持部が、深さ方向において、切替え深さ位置に配置されたスライド部の底部と同一の深さ位置又はそれよりも深い深さ位置（以下、「所定の深さ位置」と称する場合がある）に配置されるように構成されているので、使用者が、回転部を、回転軸線の方向の両端から把持し、スライド部をあたかも押し込むように操作して、回転部の回転不可能状態及び回転可能状態を簡易に切替えることができる。
【００２３】
具体的には、使用者は、例えば、左手の親指の指先を、スライド部の頂部及び頂部側把持部に添え、そして左手の人差し指を、底部側第１連結部の底部側把持部に添えた状態で、親指の指先でスライド部の頂部を押込み、スライド部をスライドさせ、回転部を回転不可能状態から回転可能状態に切替えることができる。底部側把持部は、所定の深さ位置に配置されているので、人差し指は、底部により押し戻されにくい。従って、使用者は、スライド部を、あたかも、押し込むように操作できる。
さらに、上記清掃具では、回転部の回転軸線の方向の両端から、回転部を直接把持できるので、回転部を回転可能状態に切替え、回転させる際に、アーム部、すなわち、第１アーム部及び第２アーム部に、それらの軸線と直交する方向の力が加わりにくく、アーム部が破損しにくい。
【００２４】
［態様２］
上記スライド部が、上記アーム角度を調整する際に、上記頂部側第１連結部及び底部側第１連結部とともに回転するように構成されている、態様１に記載の清掃具。
上記清掃具では、アーム角度を調整する際に、スライド部の頂部と、頂部側第１連結部とが連動して回転する。従って、スライド部を把持した使用者の指が引きつられにくい。なお、スライド部の頂部と、頂部側第１連結部とが別個に回転する場合には、使用者の指が引きつられやすくなる。
【００２５】
［態様３］
上記頂部側第１連結部及び底部側第１連結部が、第２アーム部に連結されており、第２連結部が、第１アーム部に連結されている、態様１又は２に記載の清掃具。
【００２６】
上記清掃具では、頂部側第１連結部及び底部側第１連結部が、第２アーム部に連結されており、第２連結部が、第１アーム部に連結されているので、頂部側第１連結部の頂部側把持部及び底部側第１連結部の底部側把持部が、第２アーム部と一緒に回転する。従って、使用者が、第２アーム部を把持している手で回転部を回転可能状態に保持しながら、第２アーム部を回転させた場合に、頂部側把持部及び底部側把持部が第２アーム部と一緒に回転し、第２アーム部を把持している手が頂部側把持部及び底部側把持部による摩擦を受けにくい。
【００２７】
具体的には、使用者が、例えば、左手の親指の指先をスライド部の頂部及び頂部側把持部に添え、左手の人差し指を底部側把持部に添え、左手の残りの部分で第２アーム部を把持した状態で、親指の指先でスライド部の頂部を押込み、スライド部をスライドさせ、回転部を回転不可能状態から回転可能状態に切替えつつ、第２アーム部を回転させると、頂部側把持部及び底部側把持部が第２アーム部、ひいては左手とともに回転するので、左手の親指及び人差し指が、頂部側把持部及び底部側把持部との間で摩擦を受けにくい。
【００２８】
［態様４］
上記回転部が、上記深さ方向において、上記底部より深さの深い領域に、上記スライド部とともにスライドしない部材を備えていない、態様１〜３のいずれか一項に記載の清掃具。
【００２９】
上記清掃具では、回転部が、深さ方向において、底部より深さの深い領域に、スライド部とともにスライドしない部材、例えば、蓋部を備えていないので、回転部の構造が単純であり、製造等の観点から優れる。また、上記清掃具は、底部より深さの深い領域にスライド部とともにスライドしない部材を備えていないにもかかわらず、スライド部を、あたかも、押し込むように操作できる。
【００３０】
［態様５］
上記底部側把持部の、上記回転軸線と直交する方向における内径が、任意の方向において、２０ｍｍ以下である、態様１〜４のいずれか一項に記載の清掃具。
【００３１】
上記清掃具では、底部側把持部が所定の内径を有するので、手の小さな女性、子供等（以下「女性等」と称する）が、親指の指先、人差し指等で、回転部を把持した場合であっても、女性等の指が、スライド部の底部、特に、初期深さ位置又は切替え深さ位置にあるスライド部の底部に触れにくくなるので、使用者が、スライド部を、あたかも、押し込むように操作しやすくなる。
【００３２】
［態様６］
上記頂部が、上記頂部の周縁に配置された周縁部と、上記周縁部に囲まれ且つ上記周縁部から、上記底部と反対側に突出している突出部とを備え、上記頂部側把持部が、上記深さ方向において、上記初期深さ位置における上記スライド部の上記突出部よりも深い深さ位置に配置されるように構成されている、態様１〜５のいずれか一項に記載の清掃具。
【００３３】
上記清掃具では、頂部側把持部が、深さ方向において、初期深さ位置におけるスライド部の突出部よりも深い深さ位置に配置されるように構成されているので、使用者が、スライド部の突出部を押し込みやすい。
【００３４】
［態様７］
上記頂部側把持部が、上記深さ方向において、上記初期深さ位置における上記スライド部の上記周縁部と同一の深さ位置又はそれよりも浅い深さ位置に配置されるように構成されている、態様６に記載の清掃具。
【００３５】
上記清掃具では、頂部側把持部が、深さ方向において、初期深さ位置におけるスライド部の頂部の周縁部と同一の深さ位置か、又は浅い深さ位置に配置されるように構成されているので、使用者が、スライド部の頂部を押し込む際に、使用者の指が、頂部側把持部と、スライド部との間に巻き込まれにくい。
【００３６】
［態様８］
第２アーム部が、中空部を有する第２アーム部第１筒体と、上記中空部内に挿入された第２アーム部第２筒体とを少なくとも備え、第２アーム部が、第２アーム部第１筒体及び第２アーム部第２筒体を相対的に移動させることにより、第２アーム部の軸線方向に伸縮可能であり、第２アーム部第１筒体が、上記清掃体取付部に連結されている、態様１〜７のいずれか一項に記載の清掃具。
【００３７】
上記清掃具では、第２アーム部が伸縮可能であるとともに、第２アーム部第２筒体よりも外方に配置されている第２アーム部第１筒体が、上記清掃体取付部に連結されているので、回転部を回転させ、次いで、第２アーム部を伸縮させること、あるいは第２アーム部を伸縮させ、次いで、回転部を回転させることが簡易である。
【００３８】
具体的には、例えば、右手で第１アーム部を把持し、左手の親指の指先をスライド部の頂部及び頂部側把持部に添え、左手の人差し指を底部側把持部に添え、左手の残りの部分で第２アーム部第１筒体を把持した状態から、左手の親指の指先でスライド部の頂部を押し込み、回転部を回転可能状態に切替えてアーム角度を調整し、次いで、左手の親指の指先の押込みを解除し、回転部を回転不可能状態に切替え、次いで、第２アーム部第１筒体を把持した左手を、回転軸から遠ざける方向（左方）に引くことにより、第２アーム部を簡易に伸長させることができる。
【００３９】
［態様９］
第１アーム部が、第１筒体中空部及び内面を備えており且つ把持部を構成する第１アーム部第１筒体と、第１筒体中空部内に挿入された第１アーム部第２筒体とを少なくとも備え、第１アーム部が、第１アーム部第１筒体及び第１アーム部第２筒体を相対的に移動させることにより、第１アーム部の軸線方向に伸縮可能であり、第１アーム部第１筒体が、第１アーム部第２筒体よりも上記回転部から遠い位置に配置されている、態様１〜８のいずれか一項に記載の清掃具。
【００４０】
上記清掃具では、第１アーム部が伸縮可能であるとともに、第１アーム部第１筒体が、第１アーム部第２筒体よりも回転部から遠い位置に配置されているので、回転部を回転させ、次いで、第１アーム部を伸縮させること、あるいは第１アーム部を伸縮させ、次いで、回転部を回転させることが簡易である。すなわち、例えば、右手で第１アーム部第１筒体を把持し、左手で第２アーム部及び回転部を把持した状態から、回転部を回転可能状態に切替えてアーム角度を調整し、回転部を回転不可能状態に切替え、次いで、左手を、上方に引きあげるか、又は右手を下方に引き下げることにより、第１アーム部を簡易に伸長させることができる。
【００４１】
［態様１０］
第１アーム部第２筒体が、上記清掃具の基端よりの第２基端部と、上記清掃具の先端よりの第２先端部とを有し、第１アーム部第２筒体が、第２基端部において、第１アーム部第２筒体と連結しており且つ第１アーム部第２筒体と別体である摺動部材を備え、上記摺動部材が、第１アーム部第１筒体の内面に沿う筒状部であって、筒状部軸線と周方向とを有するものを備え、上記筒状部が、第１アーム部第１筒体の上記内面と摺動するように構成されている、態様９に記載の清掃具。
【００４２】
上記清掃具では、第１アーム部第２筒体が、所定の摺動部材を備えるので、第１アーム部が、簡易な構造により摺動機能を発揮することができる。また、上記清掃具では、所定の摺動部材の筒状部が摺動機能を発揮するので、第１アーム部第１筒体及び第１アーム部第２筒体そのものの構造を簡易にすることができる。
【００４３】
［態様１１］
第１アーム部第１筒体が、第１先端部の上記内面に、内方に突出する先端側係止部及び基端側係止部と、上記先端側係止部及び基端側係止部の間に配置された係合面を備えており、第１アーム部が、上記筒状部と、第１アーム部第１筒体の上記係合面とを係合させることにより、第１アーム部の伸長形態を保持することができるように構成されている、態様１０に記載の清掃具。
【００４４】
上記清掃具では、摺動部材の筒状部が、第１アーム部第１筒体の係合面と係合することにより、第１アーム部の伸長形態を保持することができるので、第１アーム部が、簡易な構造により伸長時ロック機能を発揮することができる。また、上記清掃具では、摺動部材の筒状部が伸長時ロック機構の一部を備えるので、第１アーム部第２筒体そのものの構造を簡易にすることができる。
【００４５】
［態様１２］
第１アーム部第１筒体が、上記基端よりの第１基端部と、上記先端よりの第１先端部とを有し、第１アーム部第１筒体が、第１基端部に、第１アーム部第１筒体とは別体のロック部材であって、第１ロック部を有するものを備え、上記筒状部が、第２ロック部を備え、第１ロック部及び第２ロック部が、それらの距離を近づけることにより係合を生じ、そして上記距離を遠ざけることにより上記係合を解除するように構成されている、態様１０又は１１に記載の清掃具。
【００４６】
上記清掃具では、第１アーム部第１筒体が、第１基端部に、第１アーム部第１筒体とは別体のロック部材であって、第１ロック部を有するものを備え、摺動部材の筒状部が、第２ロック部を備えるので、第１アーム部が、簡易な構造により収縮時ロック機能を発揮することができる。また、上記清掃具では、第１アーム部第１筒体とは別体のロック部材の第１ロック部と、摺動部材の筒状部の第２ロック部とが収縮時ロック機構を発揮することができるので、第１アーム部第１筒体及び第１アーム部第２筒体そのものの構造を簡易にすることができる。
【００４７】
本開示の清掃具について、以下、詳細に説明する。
図１〜図１８は、本開示の実施形態の１つ（以下、「第１実施形態」と称する）に従う清掃具１を説明するための図である。図１９〜図２３は、第１実施形態に従う清掃具１の収納形態から清掃形態への変形を説明するための図である。
【００４８】
図１は、清掃体５１が取付けられた、清掃形態における、清掃具１の斜視図である。図２は、収納形態（収縮形態）における、清掃具１の左側面図である。図３は、収納形態（収縮形態）から第２アーム部９を回転させた状態における、清掃具１を示す図である。具体的には、図３（ａ）は、清掃具１の正面図であり、図３（ｂ）は、清掃具１の左側面図である。
【００４９】
第１実施形態に従う清掃具１は、把持部３を有する第１アーム部５と、第２アーム部９と、第１アーム部５及び第２アーム部９を連結し且つアーム角度θを調整可能である回転部７と、第２アーム部に連結され、清掃体を取付けるための清掃体取付部１１とを備えている。清掃具１は、第１アーム部５の、回転部７から最も遠い位置に存在する基端１５と、清掃体取付部１１の、回転部７から最も遠い位置に存在する先端１３とを有する。
なお、清掃体取付部は、特開２０１４−１６８６４６号に記載されるものと同様の公知の構造を有するため、説明を省略する。
【００５０】
図４〜図９は、回転部７を説明するための図である。具体的には、図４は、スライド部１０１が初期深さ位置：ＤOに配置された回転部７の、図３（ｂ）のＩＶ−ＩＶ断面における断面図である。図５は、スライド部１０１を切替え深さ位置：ＤCまでスライドさせた回転部７の、図３（ｂ）のＩＶ−ＩＶ断面に相当する断面図である。
図６は、スライド部１０１を構成する頂部側パーツ１２１を説明するための図である。具体的には、図６（ａ）〜図６（ｄ）は、頂部側パーツ１２１を、図３のＩＶ−ＩＶ断面の参照方向と同一方向から参照した場合における、図６（ａ）平面図、図６（ｂ）正面の断面図、図６（ｃ）底面図、及び図６（ｄ）左側面の断面図である。
【００５１】
図７は、スライド部１０１を構成する底部側パーツ１２７を説明するための図である。具体的には、図７（ａ）〜図７（ｄ）は、底部側パーツ１２７を、図３のＩＶ−ＩＶ断面の参照方向と同一方向から参照した場合における、それぞれ、図７（ａ）平面図、図７（ｂ）正面の断面図、図７（ｃ）底面図、及び図７（ｄ）右側面の断面図である。
【００５２】
図８は、第１連結部１０７を説明するための図である。具体的には、図８（ａ）〜図８（ｃ）は、第１連結部１０７を、図３のＩＶ−ＩＶ断面の参照方向と同一方向から参照した場合における、図８（ａ）断面図、図８（ｂ）正面図、及び図８（ｃ）断面図である。なお、図８（ａ）は、図８（ｂ）のＶＩＩＩ（ａ）−ＶＩＩＩ（ａ）断面における断面図であり、そして図８（ｃ）は、図８（ｂ）のＶＩＩＩ（ｃ）−ＶＩＩＩ（ｃ）断面における断面図である。
【００５３】
図９は、第２連結部１１５を説明するための図である。具体的には、図９（ａ）〜図９（ｃ）は、第２連結部１１５を、図３のＩＶ−ＩＶ断面の参照方向と同一方向から参照した場合における、図９（ａ）正面図、図９（ｂ）断面図、及び図９（ｃ）底面図である。
【００５４】
回転部７は、第１アーム部５及び第２アーム部９（回転部連結体６１３）を連結し且つアーム角度θを調整可能である。回転部７は、回転軸線ＲＡと、回転軸線ＲＡに沿って回転する回転方向ＲＤとを有する。回転部７は、頂部１０３及び底部１０５を有するスライド部１０１と、第２アーム部９と連結している２つの第１連結部１０７であって、そのそれぞれが、第１軸孔１０９を備えるものと、第１アーム部５と連結している第２連結部１１５であって、第２軸孔１１７を備えるものとを備えている。第１軸孔１０９及び第２軸孔１１７のそれぞれは、回転軸線ＲＡと直交する方向の断面の形状が、回転軸線ＲＡを中心とする円形である。
【００５５】
２つの第１連結部１０７は、２つの第１連結部１０７及び第２連結部１１５のうち、最も浅い深さ位置に配置された頂部側第１連結部１１１と、最も深い深さ位置に配置された底部側第１連結部１１３とから構成される。
【００５６】
スライド部１０１は、頂部１０３及び底部１０５に加え、頂部１０３及び底部１０５を連結する連結軸１１９とを備えている。
スライド部１０１は、頂部１０３、頂部側筒状部１２３及び嵌合用突起１２５を備える頂部側パーツ１２１と、底部１０５、底部側筒状部１２９及び嵌合用窪み１３１を備える底部側パーツ１２７とから形成されている。
【００５７】
回転部７は、頂部側パーツ１２１の頂部側筒状部１２３を頂部１０３側から、底部側パーツ１２７の底部側筒状部１２９を底部１０５側から、底部側第１連結部１１３の第１軸孔１０９と、第２連結部の第２軸孔１１７と、頂部側第１連結部１１１の第１軸孔１０９と、圧縮コイルバネ１３３の中空部分とに通し、頂部側パーツ１２１の、一対の嵌合用突起１２５を、底部側パーツ１２７の、一対の嵌合用窪み１３１と嵌合させることにより形成されている。スライド部１０１の連結軸１１９は、頂部側パーツ１２１の頂部側筒状部１２３と、底部側パーツ１２７の底部側筒状部１２９とから構成されている。
【００５８】
図４に、スライド部１０１がスライドしていない、すなわち、スライド部１０１が初期深さ位置：Ｄ0に配置された回転部７が示されている。図５に、スライド部１０１が切替え深さ位置：ＤCまでスライドした回転部７が示されている。
【００５９】
図４に示される、初期深さ位置：Ｄ0に配置されたスライド部１０１は、使用者が、スライド部１０１の頂部１０３を、切替え深さ位置：ＤCまで押し込むと、図５に示される、切替え深さ位置：ＤCまでスライドしたスライド部１０１を形成し、そして図５に示される、切替え深さ位置：ＤCまでスライドしたスライド部１０１は、使用者がスライド部１０１の頂部１０３の押込みを解除すると、スライド部１０１が、圧縮コイルバネ１３３の復元力により、初期深さ位置：Ｄ0に戻る。
【００６０】
スライド部１０１は、連結軸１１９の外周に、４本の回転制御用突起１３５を備えている。４本の回転制御用突起１３５のそれぞれは、回転軸線ＲＡに沿って、底部１０５を基点として頂部１０３に向かって延びており、そして回転方向ＲＤに、９０°間隔で配置されている。４本の回転制御用突起１３５のそれぞれは、回転軸線ＲＡと直交する方向の断面形状が、頂点が回転軸線ＲＡの外方を向いている略三角形である。
図７に示されるように、４本の回転制御用突起１３５は、スライド部１０１を構成する底部側パーツ１２７の底部側筒状部１２９の外周に形成されている。
【００６１】
図８に示されるように、底部側第１連結部１１３は、第１軸孔１０９の外周に、回転制御用突起１３５と噛み合う、４個の固定用窪み１３７を備えている。４個の固定用窪み１３７のそれぞれは、回転方向ＲＤに、９０°間隔で配置されている。４個の固定用窪み１３７のそれぞれは、回転軸線ＲＡと直交する方向の断面形状が、頂点が回転軸線ＲＡの外方を向いている略三角形であり、４本の回転制御用突起１３５のそれぞれの略三角形の断面形状と略同一である。
なお、図８に示されるように、頂部側第１連結部１１１は、第１軸孔１０９に、固定用窪みを備えていない。
【００６２】
図９に示されるように、第２連結部１１５は、第２軸孔１１７の外周に、８個の回転制御用窪み１３９を備えている。８個の回転制御用窪み１３９のそれぞれは、回転方向ＲＤに４５°間隔で配置されている。８個の回転制御用窪み１３９のそれぞれは、底部側第１連結部１１３と接する側の面１１６ａを基点とし、回転軸線ＲＡに沿って延びており、頂部側第１連結部１１１と接する側の面１１６ｂまでは到達していない。８個の回転制御用窪み１３９のそれぞれの、回転軸線ＲＡと直交する方向の断面形状は、頂点が回転軸線ＲＡの外方を向いている略三角形であり、４個の回転制御用突起１３５のそれぞれの略三角形の断面形状と略同一である。
【００６３】
スライド部１０１が、図４に示されるように、スライド部１０１が初期深さ位置：Ｄ0に配置される場合には、スライド部１０１の４個の回転制御用突起１３５のそれぞれが、底部側第１連結部１１３の４個の固定用窪み１３７のそれぞれと噛合い、そしてスライド部１０１の４個の回転制御用突起１３５のそれぞれが、第２連結部１１５の８個の回転制御用窪み１３９のうち４個と噛み合っているので、アーム角度θは調整不可能である。
【００６４】
一方、スライド部１０１を、スライド方向ＳＤに、切替え深さ位置：ＤCまでスライドさせると、図５に示されるように、スライド部１０１の４個の回転制御用突起１３５のそれぞれも、スライド方向ＳＤにスライドし、スライド部１０１の計４個の回転制御用突起１３５のそれぞれが、第２連結部１１５の４個の回転制御用窪み１３９のそれぞれと噛み合わなくなるが、底部側第１連結部１１３の４個の固定用窪み１３７のそれぞれと噛み合っている状態となる。その結果、スライド部１０１と、第１連結部１０７（頂部側第１連結部１１１及び底部側第１連結部１１３）を介して連結している第２アーム部９は、スライド部１０１に対して回転することができないが、スライド部１０１と、第２連結部１１５を介して連結している第１アーム部５、スライド部１０１に対して回転することができるようになり、アーム角度θが可変となる。
なお、スライド部１０１は、スライド方向ＳＤに、切替え深さ位置：ＤCを超え、最大深さ位置（図示せず）までスライドさせることができる。
【００６５】
スライド部１０１は、切替え深さ位置：ＤC、並びに最大深さ位置（図示せず）までスライドさせても、底部側第１連結部１１３の４個の固定用窪み１３７のそれぞれと噛み合っているので、アーム角度θを変える場合には、スライド部１０１は、第２アーム部９と一緒に回転することとなる。
【００６６】
使用者が、アーム角度θの調整を終えて、スライド部１０１の頂部１０３の押込みを解除すると、スライド部１０１が初期深さ位置：Ｄ0に戻り、その際に、スライド部１０１の４個の回転制御用突起１３５のそれぞれが、底部側第１連結部１１３の４個の固定用窪み１３７のそれぞれと噛合い、そしてスライド部１０１の４個の回転制御用突起１３５のそれぞれが、第２連結部１１５の８個の回転制御用窪み１３９のうち、回転前とは異なる４個の回転制御用窪み１３９と噛み合い、アーム角度θが調整不可能となる。
第２連結部１１５は、回転制御用窪み１３９を４５°間隔で有するため、アーム角度θは、４５°間隔で調整可能である。
【００６７】
頂部側第１連結部１１１は、その最も浅い深さ位置に、使用者がスライド部１０１の頂部１０３を押し込む際に触れる可能性のある部分である、頂部側把持部１４１を備えている。また、底部側第１連結部１１３は、その最も深い深さ位置に、使用者がスライド部１０１をスライドさせる際に触れる可能性のある部分である、底部側把持部１４３を備えている。頂部側把持部１４１及び底部側把持部１４３のそれぞれは、回転方向ＲＤに一周している。
【００６８】
図４に示されるように、初期深さ位置：Ｄ0に配置されたスライド部１０１では、底部１０５が、深さ方向ＤＤにおいて、底部側第１連結部１１３の底部側把持部１４３よりも、スライド部１０１の切替え深さ位置：ＤCよりも大きな長さ：Ｌ0だけ浅い深さ位置に配置されるように構成されている。従って、図５に示されるように、スライド部１０１を切替え深さ位置：ＤCまでスライドさせると、底部１０５が、底部側第１連結部１１３の底部側把持部１４３よりも、深さ方向ＤＤにおいて、長さ：Ｌ1だけ浅い深さ位置に配置されることとなる。そうすることにより、使用者は、スライド部１０１を、あたかも、押し込むように操作できる。また、使用者が、スライド部１０１の頂部１０３を、スライド部１０１の切替え深さ位置：ＤCまでスライドさせた場合でも、底部１０５側に添えた指が、底部１０５から押し出されにくい。
【００６９】
また、回転部７は、深さ方向ＤＤにおいて、底部１０５より深さの深い領域に、回転部７を構成する構成部材、特に、スライド部１０１とともにスライドしない部材を備えていない。そうすることにより、回転部７の構造が単純であるにもかかわらず、スライド部１０１を、あたかも、押し込むように操作できる。
【００７０】
スライド部１０１の頂部１０３は、頂部１０３の周縁に配置された周縁部１４５と、周縁部１４５に囲まれた突出部１４７とを備えている。突出部１４７は、周縁部１４５よりも、底部１０５と反対側に、高さＨだけ突出している。換言すると、突出部１４７は、深さ方向ＤＤにおいて、周縁部１４５よりも、高さＨ分だけ浅い深さ位置に配置されている。
【００７１】
また、頂部側把持部１４１は、深さ方向ＤＤにおいて、初期深さ位置：Ｄ0に配置されたスライド部１０１の周縁部１４５と同一の深さ位置に配置されているので、頂部側把持部１４１は、深さ方向ＤＤにおいて、初期深さ位置：Ｄ0におけるスライド部１０１の突出部１４７の位置よりも、高さＨ分だけ深い深さ位置に配置されるように構成されている。そうすることにより、使用者が、頂部側把持部１４１の影響を受けずに、スライド部１０１の突出部１４７を押し込みやすくなる。また、使用者が、スライド部１０１の頂部１０３を押し込む際に、使用者の指が、頂部側把持部１４１と、スライド部１０１の周縁部１４５との間に巻き込まれにくくなる。
【００７２】
上述のように、第１連結部１０７（頂部側第１連結部１１１及び底部側第１連結部１１３）が、第２アーム部９と連結されており、そして第２連結部１１５が、第１アーム部５と連結されている。そうすることにより、使用者が、例えば、左手の親指の指先をスライド部１０１の頂部１０３及び頂部側把持部１４１に添え、左手の人差し指を底部側把持部１４３に添えるとともに、左手の残りの部分で第２アーム部９を把持した際に、スライド部１０１の頂部１０３、頂部側把持部１４１及び底部側把持部１４３が、第２アーム部９、ひいては左手とともに回転するので、左手の親指及び人差し指が、スライド部１０１の頂部１０３、頂部側把持部１４１及び底部側把持部１４３との間で摩擦を受けにくい。
【００７３】
図１０は、収縮形態における第１アーム部５を説明するための図である。具体的には、図１０（ａ）は、収縮形態における第１アーム部５の正面の、第１アーム部軸線ＡＬ1を通る断面図であり、図１０（ｂ）は、収縮形態における第１アーム部５の左側面の、第１アーム部軸線ＡＬ1を通る断面図である。
図１１は、伸長形態における第１アーム部５を説明するための図である。具体的には、図１１（ａ）は、伸長形態における第１アーム部５の正面の、第１アーム部軸線ＡＬ1を通る断面図であり、図１１（ｂ）は、伸長形態における第１アーム部５の左側面の、第１アーム部軸線ＡＬ1を通る断面図である。
【００７４】
第１アーム部５は、第１筒体中空部２０２を備えている第１アーム部第１筒体２０１と、第１筒体中空部２０２に挿入された、第２筒体中空部２０４を備えている第１アーム部第２筒体２０３と、第２筒体中空部２０４に挿入された、第３筒体中空部２０６を備えている第１アーム部第３筒体２０５と、第３筒体中空部２０６に挿入された第１アーム部第４筒体２０７とを備えている。第１アーム部第４筒体２０７は、第４筒体中空部２０８を備えている。
【００７５】
なお、第１アーム部第１筒体２０１、第１筒体中空部２０２、第１アーム部第２筒体２０３、第２筒体中空部２０４、第１アーム部第３筒体２０５、第３筒体中空部２０６、第１アーム部第４筒体２０７及び第４筒体中空部２０８は、第１アーム部軸線ＡＬ1と直交する方向の断面形状が、お互いに略相似形である、長径及び短径を有する楕円形である。なお、第１実施形態では、Ｘ軸方向が長径方向であり、Ｙ軸方向が短径方向である。
【００７６】
また、第１アーム部第１筒体２０１の外面及び内面（すなわち、第１筒体中空部２０２の外形）と、第１アーム部第２筒体２０３の外面及び内面（すなわち、第２筒体中空部２０４の外形）と、第１アーム部第３筒体２０５の外面及び内面（すなわち、第３筒体中空部２０６の外形）と、第１アーム部第４筒体２０７の外面及び内面（すなわち、第４筒体中空部２０８の外形）とのそれぞれは、テーパーを有しており、基端１５から先端１３に向けて、第１アーム部軸線ＡＬ1に沿って、その内面断面形状が徐々に小さくなる構造を有している。
【００７７】
第１アーム部５は、図１０に示される収縮形態から、第１アーム部第１筒体２０１と、第１アーム部第２筒体２０３と、第１アーム部第３筒体２０５と、第１アーム部第４筒体２０７とを、第１アーム部軸線ＡＬ1方向に伸長させることにより、図１１に示される伸長形態に変形することができる。
【００７８】
第１アーム部第１筒体２０１は、清掃具１の基端１５よりの第１基端部２０９と、清掃具１の先端（図示せず）よりの第１先端部２１１とを備え、第１アーム部第２筒体２０３は、清掃具１の基端１５よりの第２基端部２１３と、清掃具１の先端（図示せず）よりの第２先端部２１５とを備え、第１アーム部第３筒体２０５は、清掃具１の基端１５よりの第３基端部２１７と、清掃具１の先端（図示せず）よりの第３先端部２１９とを備え、そして第１アーム部第４筒体２０７は、清掃具１の基端１５よりの第４基端部２２１と、清掃具１の先端（図示せず）よりの第４先端部２２３とを備えている。
【００７９】
第１アーム部第１筒体２０１は、第１基端部２０９に、ロック部材２２５を備え、第１アーム部第２筒体２０３は、第２基端部２１３に、第１摺動部材２２７を備え、第１アーム部第３筒体２０５は、第３基端部２１７に、第２摺動部材２２９を備え、そして第１アーム部第４筒体２０７は、第４基端部２２１に、第３摺動部材２３１を備えている。
【００８０】
第１摺動部材２２７は、第１アーム部第１筒体２０１及び第１アーム部第２筒体２０３に摺動機能を付与し、第２摺動部材２２９は、第１アーム部第２筒体２０３及び第１アーム部第３筒体２０５に摺動機能を付与し、そして第３摺動部材２３１は、第１アーム部第３筒体２０５及び第１アーム部第４筒体２０７に摺動機能を付与する。
【００８１】
図１２は、ロック部材２２５を説明するための図である。具体的には、図１２（ａ）は、ロック部材２２５の左側面図であり、図１２（ｂ）は、ロック部材２２５の左側面の、第１アーム部軸線ＡＬ1を通る断面図である。なお、図１２（ｂ）では、理解のために、第１アーム部第１筒体２０１が波線で示されている。
【００８２】
ロック部材２２５は、清掃具１を吊り下げて保管するための吊下穴２３３と、一対の嵌合用第１窪み部２３５及び嵌合用第１窪み部２３６と、ロック部材２２５を、第１アーム部第１筒体２０１に固定するためのネジ穴２３７とを備えている。
一対の嵌合用第１窪み部２３５及び嵌合用第１窪み部２３６は、それぞれ、外方、すなわち、第１アーム部軸線ＡＬ1から遠ざかる方向に窪んでいる凹部２４１及び凹部２４２を備えている。凹部２４１及び凹部２４２のそれぞれは、貫通孔である。
【００８３】
一対の嵌合用第１窪み部２３５及び嵌合用第１窪み部２３６は、第１ロック部として、後述する第１摺動部材２２７の第１筒状部３０３の一対の嵌合用第１突起部３２１及び嵌合用第１突起部３２２（第２ロック部）とロックすることにより、収縮時ロック機構が作動することができる。
なお、ロック部材２２５は、図１０及び図１１に示されるように、ネジ穴２３７に差し込まれたネジ２３９により第１アーム部第１筒体２０１に固定されている。
【００８４】
図１３及び図１４は、第１摺動部材２２７を説明するための図である。具体的には、図１３（ａ）は、第１摺動部材２２７の正面図であり、図１３（ｂ）は、第１摺動部材２２７の左側面図であり、そして図１３（ｃ）は、第１摺動部材２２７の斜視図である。また、図１４は、図１１（ｂ）の第１摺動部材２２７付近の拡大図であり、説明のため、第１摺動部材２２７と、第１アーム部第１筒体２０１と、第１アーム部第２筒体２０３とを、離間して示してある。
【００８５】
第１摺動部材２２７は、第１アーム部第１筒体２０１と、第１アーム部第２筒体２０３とを摺動させる部材であり、第１挿入部３０１と、第１筒状部３０３とから構成されている。第１挿入部３０１は、第１アーム部第２筒体２０３の内面断面形状（第２筒体中空部２０４の外面断面形状）に沿う外面断面形状を有し、第１アーム部第２筒体２０３の内部（第２筒体中空部２０４）に挿入され、そして第１アーム部第２筒体２０３に固定されている。
【００８６】
第１筒状部３０３は、第１アーム部軸線ＡＬ1に沿って、第１アーム部第２筒体２０３の第２基端部２１３から、第１アーム部第２筒体２０３と反対方向の外側に延出しており、第１アーム部第２筒体２０３の動きに合わせて、第１アーム部第１筒体２０１の内面と摺動可能な形状を有している。第１筒状部３０３は、第１アーム部５の収縮形態及び伸長形態の両方において、第１アーム部第１筒体２０１の内部（第１筒体中空部２０２）に配置される。
第１筒状部３０３は、第１筒状部軸線ＡＬ3と第１周方向Ｐ1とを有する。なお、第１筒状部軸線ＡＬ3は、第１アーム部軸線ＡＬ1と同一直線上に存在する。
【００８７】
第１アーム部第２筒体２０３は、第２基端部２１３に、一対の第２筒体嵌合孔２４３及び第２筒体嵌合孔２４４を備えている。第１挿入部３０１は、第１アーム部第２筒体２０３の一対の第２筒体嵌合孔２４３及び第２筒体嵌合孔２４４と嵌合する、一対の第１嵌合突起３０５及び第１嵌合突起３０６を備えている。第１摺動部材２２７は、第１嵌合突起３０５及び第１嵌合突起３０６を、それぞれ、第１アーム部第２筒体２０３の第２筒体嵌合孔２４３及び第２筒体嵌合孔２４４と嵌合させることにより、第１アーム部第２筒体２０３に固定されている。
【００８８】
第１アーム部第２筒体２０３の第２基端部２１３はまた、第１筒状部３０３の、第２挿入部４０１との境界に配置された、第１係合用凸部３１５と隣接しており、第１筒状部３０３、ひいては第１摺動部材２２７のがたつきが抑制される。
【００８９】
第１挿入部３０１はまた、第１アーム部５、具体的には、第１アーム部第２筒体２０３及び第１アーム部第３筒体２０５が、それらの収縮形態を保持する収縮時ロック機構を作動させるための、一対の嵌合用第２窪み部３２７及び嵌合用第２窪み部３２８を備えている。
【００９０】
第１筒状部３０３は、一対の第１高たわみ部３０７及び第１高たわみ部３０８と、一対の第１低たわみ部３０９及び第１低たわみ部３１０と、第１周方向延出部３１１とを備えている。第１筒状部３０３は、第１挿入部３０１との境界に、第１係合用凸部３１５を備えている。第１係合用凸部３１５は、第１筒状部３０３の第１周方向Ｐ1に沿って配置されており、第１筒状部軸線ＡＬ3の外方に突出している。
【００９１】
一対の第１低たわみ部３０９及び第１低たわみ部３１０のそれぞれは、内方、すなわち、第１筒状部軸線ＡＬ3に近づく方向へのたわみ性が、一対の第１高たわみ部３０７及び第１高たわみ部３０８のそれぞれよりも低い。
【００９２】
第１筒状部３０３は、一対の第１高たわみ部３０７及び第１高たわみ部３０８と、一対の第１低たわみ部３０９及び第１低たわみ部３１０とに区画されている。一対の第１高たわみ部３０７及び第１高たわみ部３０８のそれぞれと、一対の第１低たわみ部３０９及び第１低たわみ部３１０のそれぞれとは、第１周方向Ｐ1に交互に配置されており、一対の第１低たわみ部３０９及び第１低たわみ部３１０が、第１アーム部第１筒体２０１の楕円形の断面形状の長径方向（Ｘ軸方向）の両端に配置されており、そして一対の第１高たわみ部３０７及び第１高たわみ部３０８が、第１アーム部第１筒体２０１の楕円形の断面形状の短径方向（Ｙ軸方向）の両端に配置されている。
【００９３】
一対の第１高たわみ部３０７及び第１高たわみ部３０８のそれぞれと、一対の第１低たわみ部３０９及び第１低たわみ部３１０のそれぞれとの間には、計４本の第１スリット部３１３が配置されている。そうすることにより、一対の第１高たわみ部３０７及び第１高たわみ部３０８のそれぞれと、一対の第１低たわみ部３０９及び第１低たわみ部３１０のそれぞれとが、独立してたわむ（たわみ度を調節する）ことができる。
【００９４】
第１周方向延出部３１１は、第１アーム部第１筒体２０１及び第１アーム部第２筒体２０３に摺動機能を付与する部材であり、第１アーム部第１筒体２０１の内面と摺動する。第１周方向延出部３１１は、第１スリット部３１３を間に挟んで、一対の第１高たわみ部３０７及び第１高たわみ部３０８、並びに一対の第１低たわみ部３０９及び第１低たわみ部３１０の上を、第１筒状部３０３の第１周方向Ｐ1に間欠的に延びている。そうすることにより、一対の第１低たわみ部３０９及び第１低たわみ部３１０上に存在する第１周方向延出部３１１の部分が、第１アーム部第１筒体２０１と摺動しつつ、一対の第１高たわみ部３０７及び第１高たわみ部３０８上に存在する第１周方向延出部３１１の部分が、第１アーム部第１筒体２０１の内面の形状（テーパー）の変化、第１アーム部第１筒体２０１及び第１アーム部第２筒体２０３の間の角度の変化等に合わせて、内方にたわむことができる。その結果、第１摺動部材２２７の第１周方向延出部３１１が、第１アーム部第１筒体２０１の内面と過度に強く接触しにくく、第１アーム部第１筒体２０１の内面を摩耗させにくい。
【００９５】
第１高たわみ部３０７は、第１アーム部第１筒体２０１の内面と摺動するように構成された、一対の第１高たわみ部延出部３１７を備えている。一対の第１高たわみ部延出部３１７のそれぞれは、第１筒状部軸線ＡＬ3の方向に延在し、そして第１筒状部軸線ＡＬ3の外方に突出している。一対の第１高たわみ部延出部３１７は、第１高たわみ部３０７の、第１周方向Ｐ1の両端部に配置されている。
【００９６】
第１高たわみ部３０８は、第１アーム部第１筒体２０１の内面と摺動するように構成された、一対の第１高たわみ部延出部３１８を備えている。一対の第１高たわみ部延出部３１８のそれぞれは、第１筒状部軸線ＡＬ3の方向に延在し、そして第１筒状部軸線ＡＬ3の外方に突出している。一対の第１高たわみ部延出部３１８は、第１高たわみ部３０８の、第１周方向Ｐ1の両端部に配置されている。
【００９７】
一対の第１高たわみ部延出部３１７及び一対の第１高たわみ部延出部３１８により、第１高たわみ部３０７及び第１高たわみ部３０８の剛性が向上し、清掃具１が長期にわたって使用された場合であっても、第１高たわみ部３０７及び第１高たわみ部３０８が、第１アーム部第１筒体２０１の内面の形状（テーパー）の変化、第１アーム部第１筒体２０１及び第１アーム部第２筒体２０３の角度の変化等に追従して、第１摺動部材２２７の摺動機能を補助する。
【００９８】
第１低たわみ部３０９は、第１アーム部第１筒体２０１の内面と摺動するように構成された、一対の第１低たわみ部延出部３１９を備えている。一対の第１低たわみ部延出部３１９のそれぞれは、第１筒状部軸線ＡＬ3の方向に延在し、そして第１筒状部軸線ＡＬ3の外方に突出している。一対の第１低たわみ部延出部３１９は、第１周方向Ｐ1に、所定の距離を空けて配置されている。
【００９９】
また、第１低たわみ部３１０は、第１アーム部第１筒体２０１の内面と摺動するように構成された、一対の第１低たわみ部延出部３２０を備えている。一対の第１低たわみ部延出部３２０のそれぞれは、第１筒状部軸線ＡＬ3の方向に延在し、そして第１筒状部軸線ＡＬ3の外方に突出している。一対の第１低たわみ部延出部３２０は、第１周方向Ｐ1に、所定の距離を空けて配置されている。
【０１００】
一対の第１低たわみ部延出部３１９及び一対の第１低たわみ部延出部３２０は、第１摺動部材２２７の摺動機能を補助し、そして第１アーム部第２筒体２０３が、第１アーム部第１筒体２０１に対してがたつくことを抑制する。
【０１０１】
また、第１周方向延出部３１１と、一対の第１高たわみ部延出部３１７及び一対の第１高たわみ部延出部３１８と、一対の第１低たわみ部延出部３１９及び一対の第１低たわみ部延出部３２０とが一緒になって摺動機構を発揮することにより、第１摺動部材２２７が、第１アーム部第１筒体２０１の内面の形状（テーパー）の変化、第１アーム部第１筒体２０１及び第１アーム部第２筒体２０３の角度の変化等に追従して、適度な摺動機能を発揮し続けることができる。
【０１０２】
第１実施形態に従う清掃具１では、第１アーム部５、具体的には、第１アーム部第１筒体２０１及び第１アーム部第２筒体２０３が、それらの収縮形態を保持する収縮時ロック機構を備えている。
具体的には、第１摺動部材２２７の第１筒状部３０３は、第２ロック部として、一対の嵌合用第１突起部３２１及び嵌合用第１突起部３２２を備えている。嵌合用第１突起部３２１は、第１低たわみ部３０９を基点とし、第１筒状部軸線ＡＬ3と平行に延びている第１筒状部軸線方向延出部３２３と、第１筒状部軸線方向延出部３２３の先端を基点とし、外方、すなわち、第１筒状部軸線ＡＬ3から遠ざかる方向に突出している第１凸部３２５とを備えている。
【０１０３】
同様に、嵌合用第１突起部３２２は、第１低たわみ部３１０を基点とし、第１筒状部軸線ＡＬ3と平行に延びている第１筒状部軸線方向延出部３２４と、第１筒状部軸線方向延出部３２４の先端を基点とし、外方、すなわち、第１筒状部軸線ＡＬ3から遠ざかる方向に突出している第１凸部３２６とを備えている。嵌合用第１突起部３２１及び嵌合用第１突起部３２２が、それぞれ、第１低たわみ部３０９及び第１低たわみ部３１０から延出することにより、第１低たわみ部３０９及び第１低たわみ部３１０の低たわみ性に起因して、嵌合用第１突起部３２１及び嵌合用第１突起部３２２の位置がずれにくく、特に、第１筒状部軸線ＡＬ3に近づく又は遠ざかる方にずれにくく、収縮時ロック機能が確実に発揮されやすくなる。
【０１０４】
一対の嵌合用第１突起部３２１及び嵌合用第１突起部３２２は、ロック部材２２５の、一対の嵌合用第１窪み部２３５及び嵌合用第１窪み部２３６とロックすることができる。
第１アーム部第１筒体２０１及び第１アーム部第２筒体２０３の収縮形態では、ロック部材２２５と、第１摺動部材２２７とは、嵌合用第１突起部３２１を嵌合用第１窪み部２３５にはめ込み、そして嵌合用第１突起部３２２を、嵌合用第１窪み部２３６にはめ込むことにより、第１アーム部第１筒体２０１と、第１アーム部第２筒体２０３とをロックしている。
【０１０５】
一方、第１アーム部第１筒体２０１及び第１アーム部第２筒体２０３を伸長形態にすると、すなわち、ロック部材２２５と、第１摺動部材２２７の距離を遠ざけると、嵌合用第１突起部３２１が、嵌合用第１窪み部２３５から外れ、そして嵌合用第１突起部３２２が、嵌合用第１窪み部２３６から外れ、第１アーム部第１筒体２０１と、第１アーム部第２筒体２０３とのロックが解除する。
【０１０６】
第１実施形態に従う清掃具１では、第１アーム部５、具体的には、第１アーム部第１筒体２０１及び第１アーム部第２筒体２０３が、伸長形態を保持する伸長時ロック機構を備えている。
具体的には、図１４に示されるように、第１アーム部第１筒体２０１は、第１先端部２１１の第１内面２４５に、先端（図示せず）に近い順から、第１先端側係止部２４７、第１係合面２４９、第１基端側係止部２５１及び第１摺動面２５３を備えている。第１先端側係止部２４７は、内方、すなわち、第１アーム部軸線ＡＬ1に向かって突出している。また、第１基端側係止部２５１は、内方に突出しており、そして第１アーム部軸線ＡＬ1を通る平面と交差する断面形状が湾曲している。なお、第１先端側係止部２４７及び第１基端側係止部２５１のそれぞれは、理解のため、実際よりも突出の度合いが高い。
また、第１係合面２４９の第１アーム部軸線ＡＬ1の方向の長さは、第１筒状部３０３の長さ、具体的には、第１係合用凸部３１５から、第１周方向延出部３１１に至る、第１筒状部軸線ＡＬ3（第１アーム部軸線ＡＬ1）の方向の長さと略同一である。
【０１０７】
第１筒状部３０３の第１係合用凸部３１５及び第１周方向延出部３１１は、第１アーム部第１筒体２０１の第１基端側係止部２５１に到達し、そこを乗り越えると、第１筒状部３０３、具体的には、第１係合用凸部３１５及び第１周方向延出部３１１が、第１アーム部第１筒体２０１の第１係合面２４９と係合するとともに、第１先端側係止部２４７及び第１基端側係止部２５１に挟まれることになる。従って、第１筒状部３０３の第１係合用凸部３１５及び第１周方向延出部３１１は、第１先端側係止部２４７と、第１基端側係止部２５１とに挟まれ且つ第１係合面２４９と係合した状態でロックされる。それにより、第１アーム部第１筒体２０１及び第１アーム部第２筒体２０３が、伸長状態でロックされる。
【０１０８】
第１筒状部３０３は、第１係合用凸部３１５に加え、第１周方向延出部３１１と、一対の第１高たわみ部延出部３１７及び一対の第１高たわみ部延出部３１８と、一対の第１低たわみ部延出部３１９及び一対の第１低たわみ部延出部３２０とを備えているので、第１アーム部第１筒体２０１及び第１アーム部第２筒体２０３は、収縮形態から伸長形態に伸長させる際に、第１摺動部材２２７の第１筒状部３０３の第１周方向延出部３１１等が、第１アーム部第１筒体２０１の第１摺動面２５３と摺動し、第１アーム部第１筒体２０１及び第１アーム部第２筒体２０３を、収縮形態及び伸長形態の間の任意の位置で固定することができる。
【０１０９】
図１５は、第２摺動部材２２９を説明するための図である。具体的には、図１５（ａ）は、第２摺動部材２２９の正面図であり、図１５（ｂ）は、第２摺動部材２２９の左側面図であり、図１５（ｃ）は、第１摺動部材２２７の斜視図であり、そして図１５（ｄ）は、図１１（ｂ）の第２摺動部材２２９付近の拡大図であり、説明のため、第２摺動部材２２９と、第１アーム部第２筒体２０３と、第１アーム部第３筒体２０５とを、離間して示してある。
【０１１０】
第２摺動部材２２９は、第１アーム部第２筒体２０３と、第１アーム部第３筒体２０５とを摺動させる部材であり、第２挿入部４０１と、第２筒状部４０３とから構成されている。第２挿入部４０１は、第１アーム部第３筒体２０５の内面断面形状（第３筒体中空部２０６の外面断面形状）に沿う外面断面形状を有し、第１アーム部第３筒体２０５の内部（第３筒体中空部２０６）に挿入され、そして第１アーム部第３筒体２０５に固定されている。
【０１１１】
第２筒状部４０３は、第１アーム部軸線ＡＬ1に沿って、第１アーム部第３筒体２０５の第３基端部２１７から、第１アーム部第３筒体２０５と反対方向の外側に延出しており、第１アーム部第３筒体２０５の動きに合わせて、第１アーム部第２筒体２０３の内面と摺動しながら移動する。第２筒状部４０３は、第１アーム部５の収縮形態及び伸長形態の両方において、第１アーム部第２筒体２０３の内部（第２筒体中空部２０４）に配置される。
【０１１２】
第２筒状部４０３は、第２筒状部軸線ＡＬ4と第２周方向Ｐ2とを有する。なお、第２筒状部軸線ＡＬ4は、第１アーム部軸線ＡＬ1と同一直線上にある。
【０１１３】
第１アーム部第３筒体２０５は、第３基端部２１７に、一対の第３筒体嵌合孔２５５及び第３筒体嵌合孔２５６を備えている。第２挿入部４０１は、第１アーム部第３筒体２０５の一対の第３筒体嵌合孔２５５及び第３筒体嵌合孔２５６と嵌合する、一対の第２嵌合突起４０５及び第２嵌合突起４０６を備えている。第２摺動部材２２９は、第２嵌合突起４０５及び第２嵌合突起４０６を、それぞれ、第１アーム部第３筒体２０５の第３筒体嵌合孔２５５及び第３筒体嵌合孔２５６と嵌合させることにより、第１アーム部第３筒体２０５に固定されている。
第１アーム部第３筒体２０５の第３基端部２１７はまた、第２筒状部４０３に形成された、第２係合用凸部４１５と隣接しており、第２筒状部４０３、ひいては第２摺動部材２２９のがたつきが抑制される。
【０１１４】
第２挿入部４０１はまた、第１アーム部５、具体的には、第１アーム部第３筒体２０５及び第１アーム部第４筒体２０７が、それらの収縮形態を保持する収縮時ロック機構を作動させるための、一対の嵌合用第３窪み部４２７及び嵌合用第３窪み部４２８を備えている。
【０１１５】
第２筒状部４０３は、一対の第２高たわみ部４０７及び第２高たわみ部４０８と、一対の第２低たわみ部４０９及び第２低たわみ部４１０と、第２周方向延出部４１１とを備えている。第２筒状部４０３は、第２挿入部４０１との境界に、第２係合用凸部４１５を備えている。第２係合用凸部４１５は、第２筒状部４０３の第２周方向Ｐ2に沿って配置されており、第２筒状部軸線ＡＬ4の外方に突出している。一対の第２高たわみ部４０７及び第２高たわみ部４０８のそれぞれと、一対の第２低たわみ部４０９及び第２低たわみ部４１０のそれぞれとの間には、第２スリット部４１３が配置されている。
【０１１６】
第２周方向延出部４１１は、第２スリット部４１３を間に挟んで、一対の第２高たわみ部４０７及び第２高たわみ部４０８、並びに一対の第２低たわみ部４０９及び第２低たわみ部４１０の上を、第２筒状部４０３の第２周方向Ｐ2に間欠的に延びている。第２周方向延出部４１１は、第１アーム部第２筒体２０３及び第１アーム部第３筒体２０５に摺動機能を付与する部材であり、第１アーム部第２筒体２０３の内面と摺動する。
【０１１７】
第２高たわみ部４０７及び第２高たわみ部４０８は、それぞれ、第１アーム部第２筒体２０３の内面と摺動するように構成された、一対の第２高たわみ部延出部４１７及び一対の第２高たわみ部延出部４１８を備えている。一対の第２高たわみ部延出部４１７及び一対の第２高たわみ部延出部４１８のそれぞれは、第２筒状部軸線ＡＬ4の方向に延在し、そして第２筒状部軸線ＡＬ4の外方に突出している。一対の第２高たわみ部延出部４１７は、第２高たわみ部４０７の、第２周方向Ｐ2の両端部に配置されており、そして一対の第２高たわみ部延出部４１８は、第２高たわみ部４０８の、第２周方向Ｐ2の両端部に配置されている。
【０１１８】
第２低たわみ部４０９及び第２低たわみ部４１０は、それぞれ、第１アーム部第２筒体２０３の内面と摺動するように構成された、一対の第２低たわみ部延出部４１９及び一対の第２低たわみ部延出部４２０を備えている。一対の第２低たわみ部延出部４１９及び一対の第２低たわみ部延出部４２０のそれぞれは、第２筒状部軸線ＡＬ4の方向に延在し、そして第２筒状部軸線ＡＬ4の外方に突出している。一対の第２低たわみ部延出部４１９は、第２周方向Ｐ2に、所定の距離を空けて配置されており、そして一対の第２低たわみ部延出部４２０は、第２周方向Ｐ2に、所定の距離を空けて配置されている。
【０１１９】
第２周方向延出部４１１と、一対の第２高たわみ部延出部４１７及び一対の第２高たわみ部延出部４１８と、一対の第２低たわみ部延出部４１９及び一対の第２低たわみ部延出部４２０との機能は、それぞれ、第１周方向延出部３１１と、一対の第１高たわみ部延出部３１７及び一対の第１高たわみ部延出部３１８と、一対の第１低たわみ部延出部３１９及び一対の第１低たわみ部延出部３２０と同様であるので、説明は省略する。
【０１２０】
第１実施形態に従う清掃具１では、第１アーム部５、具体的には、第１アーム部第２筒体２０３及び第１アーム部第３筒体２０５が、それらの収縮形態を保持する収縮時ロック機構を備えている。
具体的には、第２摺動部材２２９の第２筒状部４０３は、第２ロック部として、一対の嵌合用第２突起部４２１及び嵌合用第２突起部４２２を備えている。嵌合用第２突起部４２１は、第２低たわみ部４０９を基点とし、第２筒状部軸線ＡＬ4と平行に延びている第２筒状部軸線方向延出部４２３と、第２筒状部軸線方向延出部４２３の先端を基点とし、外方、すなわち、第２筒状部軸線ＡＬ4の外方に突出している第２凸部４２５とを備えている。
【０１２１】
同様に、嵌合用第２突起部４２２は、第２低たわみ部４１０を基点とし、第２筒状部軸線ＡＬ4と平行に延びている第２筒状部軸線方向延出部４２４と、第２筒状部軸線方向延出部４２４の先端を基点とし、外方、すなわち、第２筒状部軸線ＡＬ4の外方に突出している第２凸部４２６とを備えている。
【０１２２】
一対の嵌合用第２突起部４２１及び嵌合用第２突起部４２２は、第１摺動部材２２７の第１挿入部３０１の、一対の嵌合用第２窪み部３２７及び嵌合用第２窪み部３２８とロックすることができる。
第１アーム部第２筒体２０３及び第１アーム部第３筒体２０５の収縮形態では、第１摺動部材２２７と、第２摺動部材２２９とは、嵌合用第２突起部４２１を嵌合用第２窪み部３２７にはめ込み、そして嵌合用第２突起部４２２を、嵌合用第２窪み部３２８にはめ込むことにより、第１アーム部第２筒体２０３と、第１アーム部第３筒体２０５とをロックする。
【０１２３】
一方、第１アーム部第２筒体２０３及び第１アーム部第３筒体２０５を伸長形態にすると、すなわち、第１摺動部材２２７と、第２摺動部材２２９の距離を遠ざけると、嵌合用第２突起部４２１が、嵌合用第２窪み部３２７から外れ、そして嵌合用第２突起部４２２が、嵌合用第２窪み部３２８から外れるので、第１アーム部第２筒体２０３と、第１アーム部第３筒体２０５とのロックが解除する。
第２摺動部材２２９の構造は、第１摺動部材２２７と同様であり、その作用効果も同様であることから、それらの説明は省略する。
【０１２４】
第１実施形態に従う清掃具１では、第１アーム部５、具体的には、第１アーム部第２筒体２０３及び第１アーム部第３筒体２０５が、伸長形態を保持する伸長時ロック機構を備えている。
具体的には、第１アーム部第２筒体２０３は、第２先端部２１５の第２内面２５７に、先端１３に近い順から、第２先端側係止部２５９、第２係合面２６１、第２基端側係止部２６３及び第２摺動面２６５を備えている。
【０１２５】
第２先端側係止部２５９、第２係合面２６１、第２基端側係止部２６３及び第２摺動面２６５の構造は、それぞれ、第１先端側係止部２４７、第１係合面２４９、第１基端側係止部２５１及び第１摺動面２５３と同様であるので、説明を省略する。また、それら（第２先端側係止部２５９、第２係合面２６１、第２基端側係止部２６３及び第２摺動面２６５）と、第２筒状部４０３との間の関係は、第１先端側係止部２４７、第１係合面２４９、第１基端側係止部２５１及び第１摺動面２５３と、第１筒状部３０３との間の関係と同様であるため、説明を省略する。
【０１２６】
図１６は、第３摺動部材２３１を説明するための図である。具体的には、図１６（ａ）は、第３摺動部材２３１の正面図であり、図１６（ｂ）は、第３摺動部材２３１の左側面図であり、図１６（ｃ）は、第３摺動部材２３１の斜視図であり、そして図１６（ｄ）は、図１１（ｂ）の第３摺動部材２３１付近の拡大図であり、説明のため、第３摺動部材２３１と、第１アーム部第３筒体２０５と、第１アーム部第４筒体２０７とを、離間して示してある。
【０１２７】
第３摺動部材２３１は、第１アーム部第３筒体２０５と、第１アーム部第４筒体２０７とを摺動させる部材である。第３摺動部材２３１は、第３挿入部５０１と、第３筒状部５０３とから構成されており、第３筒状部軸線ＡＬ5と、第３周方向Ｐ3とを備えている。なお、第３筒状部軸線ＡＬ5は、第１アーム部軸線ＡＬ1と同一直線上にある。
第３挿入部５０１は、一対の第３嵌合突起５０５及び第３嵌合突起５０６を備えている。第３挿入部５０１は、嵌合用第３窪み部４２７及び嵌合用第３窪み部４２８に相当する構造を有しない以外は、第２挿入部４０１と同様の構造を有するため、説明を省略する。
【０１２８】
第３筒状部５０３は、一対の第３高たわみ部５０７及び第３高たわみ部５０８、一対の第３低たわみ部５０９及び第３低たわみ部５１０、第３周方向延出部５１１、第３スリット部５１３、第３係合用凸部５１５、第３高たわみ部延出部５１７、第３高たわみ部延出部５１８、第３低たわみ部延出部５１９、第３低たわみ部延出部５２０、嵌合用第３突起部５２１、嵌合用第３突起部５２２、第３筒状部軸線方向延出部５２３、第３筒状部軸線方向延出部５２４、第３凸部５２５、及び第３凸部５２６を備えている。
【０１２９】
第３筒状部５０３は、第３高たわみ部延出部５１７、第３高たわみ部延出部５１８、第３低たわみ部延出部５１９及び第３低たわみ部延出部５２０のそれぞれが、第１アーム部第３筒体２０５の内面と摺動する面積を確保する観点から、第３筒状部軸線ＡＬ5の方向と、第３周方向Ｐ3とに延在する単一の構造を有している。それ以外の点については、第３筒状部５０３は、第２筒状部４０３と同様の構造を有するので説明を省略する。
【０１３０】
第１アーム部第４筒体２０７は、第４基端部２２１に、一対の第４筒体嵌合孔２６７及び第４筒体嵌合孔２６８を備えているが、それらは第１アーム部第３筒体２０５の一対の第３筒体嵌合孔２５５及び第３筒体嵌合孔２５６と同様の構造であるため、説明を省略する。
【０１３１】
第１アーム部第３筒体２０５は、第３先端部２１９の第３内面２６９に、第３先端側係止部２７１、第３係合面２７３、第３基端側係止部２７５及び第３摺動面２７７を備えており、それらの構造は、それぞれ、第１アーム部第２筒体２０３の第２先端側係止部２５９、第２係合面２６１、第２基端側係止部２６３及び第２摺動面２６５と同様であるので、説明を省略する。また、それらと、第３筒状部５０３との間の関係は、第１アーム部第２筒体２０３の第２先端側係止部２５９、第２係合面２６１、第２基端側係止部２６３、及び第２摺動面２６５と、第２筒状部４０３との間の関係と同様であるので、説明を省略する。
【０１３２】
上述のように、第１摺動部材２２７、第２摺動部材２２９及び第３摺動部材２３１のそれぞれが、（ｉ）摺動機構及び（ｉｉ）収縮時ロック機構を備えているとともに、（ｉｉｉ）伸長時ロック機構（第１アーム部第１筒体２０１、第１アーム部第２筒体２０３及び第１アーム部第３筒体２０５と一緒になって作動する）を備えているため、第１アーム部５は、その全体として、（ｉ）摺動機能、（ｉｉ）収縮時ロック機能及び（ｉｉｉ）伸長時ロック機能を有している。従って、第１アーム部５は、収縮形態から伸長形態の任意の長さで固定されうる。
【０１３３】
図１７は、第２アーム部９の断面図である。具体的には、図１７（ａ）は、収縮形態における、第２アーム部９の左側面の、第２アーム部軸線ＡＬ2を通る断面図であり、図１７（ｂ）は、伸長形態における、第２アーム部９の左側面の、第２アーム部軸線ＡＬ2を通る断面図である。
【０１３４】
図１７（ａ）及び図１７（ｂ）に示されるように、第２アーム部９は、中空部６０３を有する第２アーム部第１筒体６０１と、収縮形態における第２アーム部９において、中空部６０３内に挿入される第２アーム部第２筒体６０５とを備えている。第２アーム部第１筒体６０１は、清掃体取付部１１に連結されており、そして第２アーム部第２筒体６０５は、回転部連結体６１３に連結されている。第２アーム部９は、第２アーム部第１筒体６０１及び第２アーム部第２筒体６０５を相対的に移動させることにより、第２アーム部９の軸線である第２アーム部軸線ＡＬ2の方向に伸縮可能であり、図１７（ａ）に示される収縮形態と、図１７（ｂ）に示される伸長形態とをとることができる。
【０１３５】
第２アーム部第１筒体６０１は、清掃具１の基端（図示せず）よりの第２アーム部第１基端部６１５と、清掃具１の先端（図示せず）よりの第２アーム部第１先端部６１７とを備えている。また、第２アーム部第２筒体６０５は、清掃具１の基端（図示せず）よりの第２アーム部第２基端部６１９と、清掃具１の先端（図示せず）よりの第２アーム部第２先端部６２１とを備えている。
【０１３６】
図１８は、第２アーム部第１筒体６０１及び第２アーム部第２筒体６０５の拡大図（左側面，第２アーム部軸線ＡＬ2を通る断面図）である。具体的には、図１８（ａ）は、第２アーム部第１筒体６０１の第２アーム部第１基端部６１５付近の拡大図（左側面，第２アーム部軸線ＡＬ2を通る断面図）であり、図１８（ｂ）は、第２アーム部第２筒体６０５の第２アーム部第２先端部６２１付近の拡大図（左側面，第２アーム部軸線ＡＬ2を通る断面図）である。第２アーム部第１筒体６０１は、第２アーム部第１基端部６１５の内面に、はめ込み部材６０７を有しており、第２アーム部第１筒体６０１は、はめ込み部材６０７よりも第２アーム部第１先端部６１７よりに、一対の嵌合用第４窪み部６０９及び嵌合用第４窪み部６１０を備えている。第２アーム部第２筒体６０５は、第２アーム部第２先端部６２１に、一対の嵌合用第４突起部６１１及び嵌合用第４突起部６１２を備えている。
【０１３７】
第２アーム部９は、伸長形態において、第２アーム部第２筒体６０５の嵌合用第４突起部６１１及び嵌合用第４突起部６１２が、それぞれ、第２アーム部第１筒体６０１の嵌合用第４窪み部６０９及び嵌合用第４窪み部６１０と嵌合することにより伸長形態を保持するロック機構を備えている。なお、嵌合用第４突起部６１１及び嵌合用第４突起部６１２のそれぞれは、その両側（図１８（ｂ）では、手前及び奥）にスリット（図示せず）を有しており、嵌合用第４突起部６１１及び嵌合用第４突起部６１２のそれぞれが、内方に撓むことができる。
【０１３８】
回転部連結体６１３は、収納形態における清掃具１において、第１アーム部５と、第２アーム部９（の第２アーム部第１筒体６０１及び第２アーム部第２筒体６０５）とが平行になるように、換言すると、アーム角度（図示せず）が略０度となるように、湾曲した形状を有している。
【０１３９】
次に、図１９〜図２３を用いて、第１実施形態に従う清掃具１の、収納形態から清掃形態への変形の手順の一例を説明する。
清掃体取付部１１に清掃体５１が取付けられた、収納形態にある清掃具１を準備する。
図１９に示されるように、右手で、清掃具１の第１アーム部５の把持部３を把持し、そして左手の親指の指先を、回転部７のスライド部１０１の頂部１０３及び頂部側把持部１４１に添え、左手の人差し指を回転部７のスライド部１０１の底部側把持部（図示せず）に添えながら、左手の残りの部分で、第２アーム部９の第２アーム部第１筒体６０１を把持する。
【０１４０】
次いで、図２０に示されるように、左手の人差し指を、スライド部１０１の底部側把持部（図示せず）に添えながら、左手の親指の指先で、スライド部１０１の頂部１０３を押込み、回転部７を回転不可能状態から回転可能状態に切替え、回転部７を、アーム角度θが所望の角度となるように回転させる。
次いで、図２１に示されるように、左手で、第２アーム部９の第２アーム部第１筒体６０１を、向かって左に動かし、第２アーム部９を、所望の長さに伸長させる。
次いで、図２２に示されるように、左手の親指の指先及び人差し指で回転部７をつまみながら、左手の残りの部分で第２アーム部９を保持し、左手を上に上げ、右手を下に下げることにより、第１アーム部５を、所望の長さに伸長させ、図２３に示されるように、清掃具１を清掃形態に変形させる。
以上のとおり、第１実施形態に従う清掃具１は、収納形態から清掃形態への変形が容易である。
【０１４１】
第１実施形態に従う清掃具１は、図１９〜図２３に示される変形手順を逆順で行うことにより、清掃形態から収納形態に簡易に変形することができる。
なお、図１９〜図２３に示される収納形態から清掃形態への変形、並びに清掃形態から収納形態への変形の手順は一例であり、本開示の清掃具の構成、使い方等を何ら限定するものではない。
図２４に、一例として、実施形態１に従う清掃具１を用いて、エアコン５３の天板を清掃する例を示す。
【０１４２】
第１実施形態では、回転部７が、連結部として、２つの第１連結部１０７（頂部側第１連結部１１１及び底部側第１連結部１１３）と、それらの間の第２連結部１１５とを備えているが、本開示の清掃具における回転部は、２以上の第１連結部（頂部側第１連結部と、底部側第１連結部とを含む）と、１又は複数の第２連結部とを備えている限り、第１連結部及び第２連結部のそれぞれの個数、それらの位置関係は、特に制限されない。例えば、回転部が、３つの第１連結部（頂部側第１連結部と、底部側第１連結部をと含む）と、２つの第２連結部とを備えており、３つの第１連結部と、２つの第２連結部とが交互に配置されていてもよい。また、回転部が、２つの第１連結部（頂部側第１連結部及び底部側第１連結部）と、２つの第２連結部とを備えており、お互いに離間している２つの第２連結部が、２つの第１連結部の間に配置されていてもよい。
【０１４３】
第１実施形態では、底部側把持部１４３が、深さ方向ＤＤにおいて、切替え深さ位置：ＤCに配置されたスライド部１０１の底部１０５よりも長さ：Ｌ1だけ浅い深さ位置に配置されるように構成されているが、本開示の清掃具では、底部側把持部が、深さ方向において、切替え深さ位置に配置されるスライド部の底部と同一の深さ位置又は底部よりも深い深さ位置に配置されるように構成される。スライド部をスライドさせ、回転部を回転不可能状態から回転可能状態に切替えた際に、スライド部の底部が、使用者の指に触れにくく、スライド部を、あたかも、押し込むように操作できる観点からである。
【０１４４】
本開示の清掃具では、スライド部を最大深さ位置までスライドさせた場合に、深さ方向において、スライド部の底部が、底部側把持部よりも、スライド部の、回転軸線方向の長さの、好ましくは５％未満、より好ましくは３％未満、さらに好ましくは２％未満、そしてさらにいっそう好ましくは１％未満、深い深さ位置に配置されるように構成されていてもよい。スライド部が最大深さ位置までスライドされた場合に、スライド部の底部が、若干、底部側把持部より突出していても、使用者が、スライド部を、あたかも押し込むように操作できるからである。
【０１４５】
本開示の清掃具では、スライド部を最大深さ位置までスライドさせた場合に、深さ方向において、底部側把持部が、スライド部の底部と同一の深さ位置又は底部よりも深い深さ位置に配置されるように構成されることがより好ましい。使用者の指が、スライド部の底部から押し出されにくくなり、スライド部を、あたかも、押し込むように操作できる観点からである。
なお、深さ方向における、スライド部の底部の深さ位置と、底部側把持部の深さ位置は、それらの最も深い深さ位置を基準とする。
【０１４６】
本開示の清掃具では、回転部がスライド部を備え、そしてスライド部をスライドさせることにより回転部の回転不可能状態と、回転可能状態とを切替えることができれば、回転部の構造は、第１実施形態のものに限定されるものではない。
【０１４７】
本開示の清掃具では、スライド部が、上記アーム角度を調整する際に、頂部側第１連結部及び底部側第１連結部とともに回転する、又は第２連結部とともに回転するように構成されることができるが、頂部側第１連結部及び底部側第１連結部とともに回転するように構成されることが好ましい。スライド部を把持した使用者の指を引きつられにくくする観点からである。
【０１４８】
第１実施形態では、２以上の第１連結部が第２アーム部に連結され、そして第２連結部が第１アーム部に連結していたが、本開示の清掃具では、２以上の第１連結部と、第２連結部とのそれぞれが連結するアーム部は任意であり、２以上の第１連結部が第１アーム部に連結され、そして第２連結部が第２アーム部に連結されていてもよい。
２以上の第１連結部が第２アーム部と連結している場合には、使用者が、例えば、左手の親指の指先をスライド部の頂部に添え、左手の人差し指を底部側把持部に添え、左手の残りの部分で第２アーム部を把持した際に、頂部側把持部及び底部側把持部が、第２アーム部、ひいては左手とともに回転するので、左手の親指及び人差し指が、頂部側把持部及び底部側把持部との間で摩擦を受けにくい。
【０１４９】
本開示の清掃具では、回転部が、深さ方向において、底部より深さの深い領域に、スライド部とともにスライドしない部材を備えていないことが好ましい。回転部の構造が単純であるにもかかわらず、スライド部を、あたかも、押し込むように操作できるからである。
【０１５０】
本開示の清掃具では、底部側把持部の、回転軸線と直交する方向における内径が、任意の方向において、好ましくは２０ｍｍ以下、より好ましくは１８ｍｍ以下、そしてさらに好ましくは１６ｍｍ以下である。そうすることにより、使用者の指が底部側把持部を把持した際に、底部側把持部で囲まれた空隙に入り込みにくくなり、使用者の指がスライド部の底部に触れにくくなる。
【０１５１】
また、本開示の清掃具では、底部側把持部の、回転軸線と直交する方向における内径が、任意の方向において、好ましくは１０ｍｍ以上、より好ましくは１２ｍｍ以上、そしてさらに好ましくは１３ｍｍ以上である。スライド部の頂部の押し込みやすさ観点からである。
【０１５２】
本開示の清掃具では、スライド部の頂部が、頂部の周縁に配置された周縁部と、周縁部に囲まれ且つ周縁部から底部と反対側に突出している突出部とを備え、頂部側把持部が、深さ方向において、初期深さ位置に配置されたスライド部の突出部よりも深い深さ位置に配置されるように構成されていることが好ましい。スライド部の突出部の押し込みやすさの観点からである。
上述の位置関係は、スライド部が、切替え深さ位置までスライドした場合に満たすことがより好ましく、そしてスライド部が、最大深さ位置までスライドした場合に満たすことがより好ましい。スライド部の突出部の押し込みやすさの観点からである。
【０１５３】
本開示の清掃具では、スライド部の頂部が、上述の周縁部及び突出部を備える場合に、スライドの部の頂部側把持部が、深さ方向において、初期深さ位置に配置されたスライド部の周縁部と同一の深さ位置又は浅い深さ位置に配置されるように構成されていることが好ましい。使用者が、スライド部の頂部を押し込む際に、使用者の指が、頂部側把持部と、スライド部との間に巻き込まれにくくなるからである。
なお、深さ方向における、スライド部の頂部の周縁部及び突出部の位置と、頂部側把持部の位置は、それらの最も浅い深さ位置を基準とする。
【０１５４】
本開示の清掃具では、第２アーム部が、第２アーム部の軸線方向に伸縮可能であっても、そして伸縮不可能であってもよいが、第２アーム部の軸線方向に伸縮可能であることが好ましい。回転部を回転させ、次いで、第２アーム部を伸縮させること、あるいは第２アーム部を伸縮させ、次いで、回転部を回転させることが簡易であるからである。
また、伸縮可能な第２アーム部としては、第１実施形態に記載のものに限定されず、当技術分野で公知の構造を採用することができる。
【０１５５】
伸縮可能な第２アーム部としては、第２アーム部が、中空部を有する第２アーム部第１筒体と、中空部内に挿入された第２アーム部第２筒体とを少なくとも備え、第２アーム部が、第２アーム部第１筒体及び第２アーム部第２筒体を相対的に移動させることにより伸縮可能であるものが挙げられる。当該態様では、第２アーム部第１筒体は、回転部に連結されていても、そして清掃体取付部に連結されていてもよいが、第２アーム部第１筒体が、清掃体取付部に連結されていることが好ましい。第２アーム部第１筒体を、回転部から遠ざける方向に動かすことにより、簡易に第２アーム部を伸長することができるからである。
なお、第２アーム部第２筒体より外方にある第２アーム部第１筒体が回転部と連結されている場合には、使用者は、清掃体取付部か、又は清掃体取付部に取付けられた清掃体を把持して第２アーム部を伸長させる必要が有り、清掃体取付部又は清掃体が抜ける、使用者の手が汚れる等の問題が生じうる。
【０１５６】
本開示の清掃具では、第１アーム部が、第１アーム部の軸線方向に伸縮可能であっても、そして伸縮不可能であってもよいが、第１アーム部の軸線方向に伸縮可能であることが好ましい。回転部を回転させ、次いで、第１アーム部を伸縮させること、あるいは第１アーム部を伸縮させ、次いで、回転部を回転させることが簡易であるからである。
また、伸縮可能な第１アーム部としては、第１実施形態に記載のものに限定されず、当技術分野で公知の構造を採用することができる。
【０１５７】
本開示の清掃具において、第１アーム部が、第１アーム部の軸線方向に伸縮可能である場合には、第１アーム部が、第１筒体中空部及び内面を備えており且つ把持部を構成する第１アーム部第１筒体と、第１筒体中空部内に挿入された第１アーム部第２筒体とを少なくとも備え、第１アーム部が、第１アーム部第１筒体及び第１アーム部第２筒体を相対的に移動させることにより、第１アーム部の軸線方向に伸縮可能であり、第１アーム部第１筒体が、清掃具の基端よりの第１基端部と、清掃具の先端よりの第１先端部とを有し、第１アーム部第２筒体が、基端よりの第２基端部と、先端よりの第２先端部とを有すること（以下、「特定の伸縮構造」と称する場合がある）が好ましく、そして第１アーム部第１筒体が、第１アーム部第２筒体よりも回転部から遠い位置に配置されていることがより好ましい。回転部を回転させ、次いで、第１アーム部を伸縮させること、あるいは第１アーム部を伸縮させ、次いで、回転部を回転させることが簡易であるからである。
【０１５８】
本開示の清掃具では、第１アーム部が、第１アーム部の軸線方向に伸縮可能である場合には、第１アーム部が、摺動機構を備えていることが好ましい。本開示の清掃具では、回転部が、回転部を把持して、回転不可能状態と、回転可能状態とを簡易に切替えることができるので、第１アーム部が、摺動機構を備えていることにより、清掃具を、収納形態（収縮形態）から、第１アーム部の長さが任意である清掃形態に展開すること、並びに清掃具を、清掃形態に簡易に固定することができるからである。
【０１５９】
上記摺動機構は、第１アーム部が特定の伸縮構造を備え、第１アーム部第２筒体が、第２基端部において、第１アーム部第２筒体と連結しており且つ第１アーム部第２筒体と別体である摺動部材を備え、上記摺動部材が、第１アーム部第１筒体の上記内面に沿う筒状部であって、筒状部軸線と周方向とを有するものを備え、上記筒状部が、第１アーム部第１筒体の内面と摺動するように構成されていることにより作動するものであることが好ましい。第１アーム部が、簡易な構造により摺動機能を発揮することができるからである。また、上記清掃具では、所定の摺動部材の筒状部が摺動機能を発揮するので、第１アーム部第１筒体及び第１アーム部第２筒体そのものの構造を簡易にすることができるからである。
【０１６０】
上記筒状部は、上記周方向において、内方にたわみやすい高たわみ部と、高たわみ部よりも内方にたわみにくい低たわみ部と、高たわみ部及び低たわみ部の上を、上記周方向に連続的又は間欠的に延びる周方向延出部であって、第１筒体の内面と摺動するように構成されたものとを備えていることが好ましい。摺動部材が、第１アーム部第１筒体の内面と過度に強く接触しにくく、第１アーム部第１筒体の内面を摩耗させにくいからである。また、摺動部材が、長期にわたって摺動機能を発揮することができ、ひいては、清掃具が、第１アーム部において、長期にわたって摺動機能を発揮し続けることができるからである。
なお、上記高たわみ部は、筒状部のうち、内方へのたわみ性が最も高い部分を意味し、それ以外の部分は、低たわみ部を構成する。
【０１６１】
上記筒状部は、上記周方向において、上記高たわみ部と、上記低たわみ部とに区画され、上記高たわみ部と、上記低たわみ部との間に、上記筒状部軸線の方向に延びるスリット部が配置されていることが好ましい。高たわみ部と、低たわみ部とが、独立して、それらの機能を発揮することができるからである。また、第１アーム部第１筒体の内面断面形状は、製造の観点、構造上の観点から、第１アーム部第１筒体の軸線の方向に沿って変化する場合がある。例えば、第１アーム部第１筒体では、第１基端部から第１先端部にかけてその内面断面形状が徐々に小さくなる（テーパーを有する）場合がある。また、伸長状態における第１アーム部に横方向から力が加わった場合には、第１アーム部第１筒体と、第１アーム部第２筒体との間の角度が変化する場合がある。そのような場合に、上記摺動部材の筒状部がスリット部を備えることにより、筒状部が、筒状部軸線と直交する方向の断面形状を変化させることができるので、第１アーム部第１筒体がテーパーを有する場合であっても、摺動部材が摺動機能を発揮することができる。
【０１６２】
上記低たわみ部は、筒状部軸線の方向に延在し、第１アーム部第１筒体の内面と摺動するように構成された低たわみ部延出部を備えていることが好ましい。低たわみ部延出部が、摺動部材の摺動機能を補助し、そして第１アーム部第２筒体が、第１アーム部第１筒体に対してがたつくことを抑制する観点からである。
なお、上記低たわみ部延出部は、筒状部軸線の方向に延在してればよく、第１アーム部第１筒状部の周方向にさらに延在していてもよい。
また、上記低たわみ部延出部は、周方向延出部と交差してもよく、そして交差しなくともよいが、交差することが好ましい。摺動部材による摺動機能をより高める観点からである。
【０１６３】
上記高たわみ部は、筒状部軸線の方向に延在し、第１アーム部第１筒体の内面と摺動するように構成された高たわみ部延出部を備えていることが好ましい。高たわみ部の剛性が向上し、清掃具が長期にわたって使用された場合であっても、高たわみ部が、第１アーム部第１筒体の内面の形状（テーパー）の変化、第１アーム部第１筒体及び第１アーム部第２筒体の角度の変化等に追従して、摺動部材の摺動機能を補助することができるからである。
【０１６４】
なお、上記高たわみ部延出部は、筒状部軸線の方向に延在してればよく、第１アーム部第１筒状部の周方向にさらに延在していてもよい。
また、上記高たわみ部延出部は、周方向延出部と交差してもよく、そして交差しなくともよいが、交差することが好ましい。摺動部材による摺動機能をより高める観点からである。
【０１６５】
本開示の清掃具では、第１アーム部第１筒体の、第１アーム部軸線の方向と直交する方向の断面形状（内面断面形状、外面断面形状）は任意であり、例えば、円形、長径及び短径を有する楕円形等が挙げられる。
第１アーム部第１筒体の上記断面形状が楕円形である場合には、高たわみ部が一対の高たわみ部であって、第１アーム部第１筒体の短径の方向の両端に配置されており、低たわみ部が一対の低たわみ部であって、第１アーム部第１筒体の長径の方向の両端に配置されていることが好ましい。第１アーム部第２筒体が、第１アーム部第２筒体の軸線の周方向に回転しにくくなるからである。また、高たわみ部が、低たわみ部よりも第１アーム部第１筒体の内面と平面に近い状況で接することができるので、高たわみ部に配置された周方向延出部が、摺動機能をより発揮しやすくなるからである。
【０１６６】
上述の周方向延出部は、高たわみ部及び低たわみ部の上を、筒状部の周方向に連続的又は間欠的に延びている。周方向延出部が、高たわみ部及び低たわみ部の上を、筒状部の周方向に間欠的に延びているとは、周方向延出部が、スリット部で分断されている場合、周方向延出部が、高たわみ部及び／又は低たわみ部の一部に配置されている場合等が挙げられる。
【０１６７】
また、周方向延出部が、筒状部の周方向に延びていることには、周方向延出部の全部が、筒状部軸線と直交する所定平面上に存在する場合と、周方向延出部の一部が筒状部軸線と直交する所定平面上に存在するが、周方向延出部の残余の部分が当該所定平面上に存在しない場合とが含まれる。例えば、高たわみ部上の周方向延出部が、低たわみ部上の周方向延出部よりも、基端側に配置されていてもよい。
【０１６８】
本開示の清掃具では、第１アーム部が、第１アーム部の軸線方向に伸縮可能である場合には、第１アーム部が、上述の摺動機構に加え、収縮形態を保持する収縮時ロック機構を備えることが好ましい。清掃具を収縮形態（非伸長状態）で使用している場合に、意図せず、第１アーム部が伸長することが抑制され、そして清掃具を収縮形態（非伸長状態）で、例えば、清掃具を吊り下げて保管している場合に、意図せず、第１アーム部が伸長することが抑制されるからである。
【０１６９】
上記収縮時ロック機構は、第１アーム部が、特定の伸縮構造を備え、第１アーム部第１筒体が、第１基端部に、第１アーム部第１筒体とは別体のロック部材であって、第１ロック部を有するものを備え、第１アーム部第２筒体が、第２基端部において、第１アーム部第２筒体と連結しており且つ第１アーム部第２筒体と別体である摺動部材を備え、上記摺動部材が、第１アーム部第１筒体の上記内面に沿う筒状部であって、筒状部軸線と周方向とを有するものを備え、上記筒状部が、第２ロック部を備え、第１ロック部及び第２ロック部が、それらの距離を近づけることにより係合を生じ、そして前記距離を遠ざけることにより上記係合を解除するように構成されていることにより作動することが好ましい。収縮時ロック機構を簡易に作動及び解除することができるからである。また、上記清掃具では、第１アーム部第１筒体とは別体のロック部材の第１ロック部と、摺動部材の筒状部の第２ロック部とが収縮時ロック機構を発揮することができるので、第１アーム部第１筒体及び第１アーム部第２筒体そのものの構造を簡易にすることができる。
【０１７０】
第１ロック部及び第２ロック部は、当技術分野で公知のものを採用することができるが、第１ロック部及び第２ロック部の一方が、嵌合用突起部であり、他方が嵌合用窪み部であることが好ましい。第１アーム部を収縮させることのみで収縮時ロック機構が作動し、そして第１アーム部を伸長させることのみで収縮時ロック機構が解除しやすくなり、ひいては第１アーム部の収縮形態を簡易に固定及び解除する観点からである。
【０１７１】
第２ロック部が嵌合用突起部であり、嵌合用突起部の基点が、低たわみ部であることが好ましい。低たわみ部の低たわみ性に起因して、嵌合用突起部の位置がずれにくく、特に、筒状部軸線に近づく方向又は遠ざかる方向にずれにくく、収縮時ロック機能が確実に発揮されやすくなる観点からである。
【０１７２】
上記嵌合用突起部が、一対の嵌合用突起部であって、そのそれぞれが、筒状部軸線の方向に延びている筒状部軸線方向延出部と、外方に突出している凸部とを備え、そして嵌合用窪み部が、一対の嵌合用窪み部であって、そのそれぞれが、外方に窪んでいる凹部を備えていることが好ましい。第１アーム部の収縮形態を簡易に固定及び解除する観点からである。
【０１７３】
本開示の清掃具では、第１アーム部が、第１アーム部の軸線方向に伸縮可能である場合には、第１アーム部が、上述の摺動機構に加え、伸長形態を保持する伸長時ロック機構を備えることが好ましい。本開示の清掃具では、回転部が、回転部を把持して、回転不可能状態と、回転可能状態とを簡易に切替えることができるので、第１アーム部が、伸長形態を保持する伸長時ロック機構を備えることにより、清掃具を、収納形態（収縮形態）から清掃形態（特に、伸長形態）に展開すること、並びに清掃具を、清掃形態（特に、伸長形態）に固定することが容易となるからである。
【０１７４】
上記伸長時ロック機構は、第１アーム部が、特定の伸縮構造を備え且つ第１アーム部第２筒体が上述の摺動部材及び筒状部を備える場合に、第１アーム部第１筒体が、第１先端部の内面に、内方に突出する先端側係止部及び基端側係止部と、先端側係止部及び基端側係止部の間に配置された係合面を備えており、第１アーム部が、筒状部と、第１アーム部第１筒体の係合面とを係合させるように構成されていることにより発現することが好ましい。第１アーム部を伸長させることのみで伸長時ロック機構が作動し、そして第１アーム部を収縮させることのみで伸長時ロック機構が解除し、第１アーム部の伸長状態を簡易に固定及び解除することができるからである。
【０１７５】
本開示の清掃具では、清掃体取付部は、特に制限されず、公知の構造、例えば、上述の公報に記載される構造を有することができる。
本開示の清掃具では、清掃体は、使い捨てのもの、洗浄等を経て繰り返し使用するのもの等、任意の公知の清掃体であることができる。
【符号の説明】
【０１７６】
１    清掃具
３    把持部
５    第１アーム部
７    回転部
９    第２アーム部
１１    清掃体取付部
１３    先端
１５    基端
５１    清掃体
１０１    スライド部
１０３    頂部
１０５    底部
１０７    第１連結部
１０９    第１軸孔
１１１    頂部側第１連結部
１１３    底部側第１連結部
１１５    第２連結部
１１７    第２軸孔
１１９    連結軸
１２１    頂部側パーツ
１２３    頂部側筒状部
１２５    嵌合用突起
１２７    底部側パーツ
１２９    底部側筒状部
１３１    嵌合用窪み
１３３    圧縮コイルバネ
１３５    回転制御用突起
１３７    固定用窪み
１３９    回転制御用窪み
１４１    頂部側把持部
１４３    底部側把持部
１４５    周縁部
１４７    突出部
θ    アーム角度
ＲＡ    回転軸線
ＲＤ    回転方向
Ｌ0    長さ
Ｌ1    長さ
Ｄ0    初期深さ位置
ＤC    切替え深さ位置
Ｈ    高さ
ＤＤ    深さ方向
【図１】
2018108137.tif 000003
【図２】
2018108137.tif 000004
【図３】
2018108137.tif 000005
【図４】
2018108137.tif 000006
【図５】
2018108137.tif 000007
【図６】
2018108137.tif 000008
【図７】
2018108137.tif 000009
【図８】
2018108137.tif 000010
【図９】
2018108137.tif 000011
【図１０】
2018108137.tif 000012
【図１１】
2018108137.tif 000013
【図１２】
2018108137.tif 000014
【図１３】
2018108137.tif 000015
【図１４】
2018108137.tif 000016
【図１５】
2018108137.tif 000017
【図１６】
2018108137.tif 000018
【図１７】
2018108137.tif 000019
【図１８】
2018108137.tif 000020
【図１９】
2018108137.tif 000021
【図２０】
2018108137.tif 000022
【図２１】
2018108137.tif 000023
【図２２】
2018108137.tif 000024
【図２３】
2018108137.tif 000025
【図２４】
2018108137.tif 000026